(57)【特許請求の範囲】
【請求項１】
無線通信環境におけるアクセス端末の動作を容易にする方法であって、
パターンのうちの第１の期間のうちの少なくとも一部の間、ダウンリンク送信を復号するために、前記第１の期間の間、アクセス端末をオン状態に切り替えることと、
復号が禁じられている前記第１の期間のうちの少なくとも一部の間、前記アクセス端末をマイクロスリープ状態に切り替えることと、
復号が禁じられている前記パターンのうちの第２の期間の間、前記アクセス端末を、延長されたマイクロスリープ状態に切り替えることと、
非不連続受信モードにおいて、前記第１の期間と前記第２の期間とを交互に反復させる前記パターンにしたがって、前記アクセス端末を状態間で切り替え続けることと、
不連続受信モードの持続時間中に、前記オン状態と前記延長されたマイクロスリープ状態との間で切り替えることと
を備える方法。
【請求項２】
非アクティビティ・タイマが時間切れになったかを判定することと、
前記非アクティビティ・タイマが時間切れになったと判定されると、前記アクセス端末を、前記非不連続受信モードから前記不連続受信モードへ移行させることと
をさらに備える請求項１に記載の方法。
【請求項３】
前記アクセス端末が前記非不連続受信モードへ移行すると、前記オン状態と、前記延長されたマイクロスリープ状態との間の切り替えを開始させること
をさらに備える請求項１に記載の方法。
【請求項４】
媒体アクセス制御シグナリング、前記アクセス端末へ向けられたデータが受信されること、または、ランダム・アクセス・チャネルによって送信を送ることのうちの少なくとも１つに基づいて、前記アクセス端末を前記非不連続受信モードへ移行させること
をさらに備える請求項３に記載の方法。
【請求項５】
前記第１の期間は、１つの送信時間インタバルであり、前記第２の期間は、複数の送信時間インタバルである請求項１に記載の方法。
【請求項６】
前記第１の期間は、およそ１ミリ秒であり、前記第２の期間は、およそ５ミリ秒である請求項１に記載の方法。
【請求項７】
予め定めたパターンまたは明示的な媒体アクセス制御シグナリングのうちの少なくとも１つに基づいて、前記アクセス端末を状態間で切り替えること
をさらに備える請求項１に記載の方法。
【請求項８】
前記アクセス端末が前記オン状態にある間、前記第１の期間に関連する送信時間インタバルの制御チャネル部分を復号することと、
前記制御チャネル部分が、前記アクセス端末へ向けられた送信を含む場合、前記第１の期間に関連する送信時間インタバルのデータ部分を復号することと
をさらに備える請求項１に記載の方法。
【請求項９】
前記アクセス端末が前記オン状態にある間、前記第１の期間に関連する送信時間インタバルの制御チャネル部分を復号することをさらに備え、
前記マイクロスリープ状態へ切り替わることは、前記制御チャネル部分が、前記アクセス端末へ向けられた送信を含まない場合、前記第１の期間に関連する送信時間インタバルのデータ部分の間、前記マイクロスリープ状態へ切り替わることを備える請求項１に記載の方法。
【請求項１０】
前記アクセス端末が、前記延長されたマイクロスリープ状態にある間、前記第２の期間に関連する送信時間インタバルのデータ部分および制御チャネル部分の前記アクセス端末による受信および復号を禁じること
をさらに備える請求項１に記載の方法。
【請求項１１】
無線通信装置であって、
第１の期間のうちの少なくとも一部の間、ダウンリンク送信を復号するために、前記第１の期間の間、オン状態に切り替えることと、
復号が禁じられている前記第１の期間のうちの少なくとも一部の間、マイクロスリープ状態に切り替えることと、
復号が禁じられている第２の期間の間、延長されたマイクロスリープ状態に切り替えることと、
非アクティビティ・タイマが時間切れになったかを判定することと、
前記非アクティビティ・タイマが時間切れになっていないと判定されている限り、非不連続受信モードにおいて、交互に反復するように、状態間を切り替え続けることと、
前記非アクティビティ・タイマが、時間切れになったと判定されると、不連続受信モードに移行することと、
前記不連続受信モードの持続時間中に、前記オン状態と前記延長されたマイクロスリープ状態との間で切り替えることと
に関連する命令群を保持するメモリと、
前記メモリに接続され、前記メモリ内に保持された命令群を実行するように構成されたプロセッサと
を備える無線通信装置。
【請求項１２】
前記メモリはさらに、前記不連続受信モードから、前記オン状態と、前記延長されたマイクロスリープ状態との間の切り替えを開始することに関連する命令群を保持する請求項１１に記載の無線通信装置。
【請求項１３】
前記メモリはさらに、媒体アクセス制御シグナリング、アクセス端末へ向けられたデータが受信されること、または、ランダム・アクセス・チャネルによって送信を送ることのうちの少なくとも１つに基づいて、前記アクセス端末を、前記不連続受信モードから移行させることに関連する命令群を保持する請求項１２に記載の無線通信装置。
【請求項１４】
前記第１の期間は、１つの送信時間インタバルであり、前記第２の期間は、複数の送信時間インタバルである請求項１１に記載の無線通信装置。
【請求項１５】
前記メモリはさらに、予め定めたパターンまたは明示的な媒体アクセス制御シグナリングのうちの少なくとも１つに基づいて、状態間での切り替えを行うことに関連する命令群を保持する請求項１１に記載の無線通信装置。
【請求項１６】
前記メモリはさらに、前記延長されたマイクロスリープ状態が動作している間、前記第２の期間に関連する送信時間インタバルのデータ部分と制御チャネル部分の受信および復号を禁じることに関連する命令群を保持する
請求項１１に記載の無線通信装置。
【請求項１７】
前記メモリはさらに、しきい時間長さを、最後に復号されたダウンリンク送信が、受信しているアクセス端末へ向けられたものと判定されてからの時間長さと比較することに関連する命令群を保持し、
前記しきい時間長さは、予め定められるか、関数に基づいて生成されるか、メモリから取得されるか、ユーザによって調節されるか、傾向分析に基づいて変更されるか、あるいは、基地局から送られた信号によって制御されるか、のうちの少なくとも１つである
請求項１１に記載の無線通信装置。
【請求項１８】
無線通信環境において変更可能モードかつスリープ状態でアクセス端末を動作させることを可能にする無線通信装置であって、
非不連続受信モードの動作に移行させる手段と、
前記非不連続受信モードにおいて、予め定めたパターンにしたがって、復号が禁じられている第１の期間の間、オン状態とマイクロスリープ状態とを、第２の期間の間、延長されたマイクロスリープ状態を切り替える手段と、
非アクティビティ時間のしきい長さに達したかを判定する手段と、
前記非アクティビティ時間のしきい長さに達すると、不連続受信モードの動作に移行させる手段と、
前記不連続受信モードの持続時間中に、前記オン状態と前記延長されたマイクロスリープ状態との間で切り替える手段と
を備える無線通信装置。
【請求項１９】
媒体アクセス制御シグナリング、アクセス端末へ向けられたデータが復号されていること、または、ランダム・アクセス・チャネルによって送信を送ることのうちの少なくとも１つに基づいて、前記非ＤＲＸモードの動作へ移行させる手段をさらに備える請求項１８に記載の無線通信装置。
【請求項２０】
前記予め定めたパターンは、前記オン状態のための第１の期間と、前記延長されたマイクロスリープ状態のための第２の期間とからなる反復サイクルを含む請求項１８に記載の無線通信装置。
【請求項２１】
前記第１の期間は、１つの送信時間インタバルであり、前記第２の期間は、複数の送信時間インタバルである請求項２０に記載の無線通信装置。
【請求項２２】
明示的な媒体アクセス制御シグナリングに基づいて、前記オン状態と、前記延長されたマイクロスリープ状態とを切り替える手段
をさらに備える請求項１８に記載の無線通信装置。
【請求項２３】
前記延長されたマイクロスリープ状態が動作している間、時間に関連する送信時間インタバルのデータ部分と制御チャネル部分の受信および復号を禁じる手段
をさらに備える請求項１８に記載の無線通信装置。
【請求項２４】
前記非アクティビティ時間のしきい長さは、予め定められるか、関数に基づいて生成されるか、メモリから取得されるか、ユーザによって調節されるか、傾向分析に基づいて変更されるか、あるいは、基地局から送られた信号によって制御されるか、のうちの少なくとも１つである請求項１８に記載の無線通信装置。
【請求項２５】
パターンのうちの第１の期間のうちの少なくとも一部の間、ダウンリンク送信を復号するために、前記第１の期間の間、アクセス端末をオン状態に切り替えるためのコードと、
復号が禁じられている前記第１の期間のうちの少なくとも一部の間、前記アクセス端末を、マイクロスリープ状態に切り替えるためのコードと、
復号が禁じられている前記パターンのうちの第２の期間の間、前記アクセス端末を、延長されたマイクロスリープ状態に切り替えるためのコードと、
非不連続受信モードにおいて、前記第１の期間と前記第２の期間とを交互に反復させる前記パターンにしたがって、前記アクセス端末を、状態間で切り替え続けさせるためのコードと、
不連続受信モードの持続時間中に、前記オン状態と前記延長されたマイクロスリープ状態との間で切り替えるためのコードと
を備えるコンピュータ読取可能な記録媒体。
【請求項２６】
非アクティビティ・タイマが時間切れになったかを判定するためのコードと、
前記非アクティビティ・タイマが時間切れになったと判定されると、前記アクセス端末を、前記非不連続受信モードから前記不連続受信モードへ移行させるためのコードと
をさらに備える、請求項２５に記載のコンピュータ読取可能な記録媒体。
【請求項２７】
前記アクセス端末が非不連続受信モードに移行すると、前記オン状態と延長されたマイクロスリープ状態との間の切り替えを開始させるためのコードをさらに備え、前記アクセス端末を前記非不連続受信モードへ移行させることは、媒体アクセス制御シグナリング、前記アクセス端末へ向けられたデータが受信されること、または、ランダム・アクセス・チャネルによって送信を送ることのうちの少なくとも１つに応答して引き起こる、請求項２５に記載のコンピュータ読取可能な記録媒体。
【請求項２８】
前記第１の期間は、１つの送信時間インタバルであり、前記第２の期間は、複数の送信時間インタバルである、請求項２５に記載のコンピュータ読取可能な記録媒体。
【請求項２９】
予め定めたパターンまたは明示的な媒体アクセス制御シグナリングのうちの少なくとも１つに基づいて、前記アクセス端末を状態間で切り替えるためのコードをさらに備える、請求項２５に記載のコンピュータ読取可能な記録媒体。
【請求項３０】
前記アクセス端末が、前記延長されたマイクロスリープ状態にある間、前記第２の期間に関連する送信時間インタバルのデータ部分および制御チャネル部分の前記アクセス端末による受信および復号を禁じるためのコードをさらに備える、請求項２５に記載のコンピュータ読取可能な記録媒体。
【請求項３１】
無線通信システムにおける装置であって、
第１の期間のうちの少なくとも一部の間、ダウンリンク送信を復号するために、前記第１の期間、オン状態に切り替え、
復号が禁じられている前記第１の期間のうちの少なくとも一部の間、マイクロスリープ状態に切り替え、
復号が禁じられている第２の期間、延長されたマイクロスリープ状態に切り替え、
非アクティビティ・タイマが時間切れになったかを判定し、
非不連続受信（非ＤＲＸ）モードにおいて、前記非アクティビティ・タイマが時間切れになっていないと判定されている限り、交互に反復するように、状態間を切り替え続け、
前記非アクティビティ・タイマが、時間切れになったと判定されると、不連続受信モードに移行させ、
前記不連続受信モードの持続時間中に、前記オン状態と前記延長されたマイクロスリープ状態との間で切り替える
ように構成されたプロセッサデバイスを備えた装置。
【請求項３２】
無線通信環境におけるアクセス端末の状態の制御を容易にする方法であって、
非不連続受信モードにおいて第１の期間と第２の期間とを含むパターンにしたがって、オン状態、マイクロスリープ状態、および延長されたマイクロスリープ状態の間の移行を制御し、不連続受信モードの持続時間中に、前記オン状態と前記延長されたマイクロスリープ状態との間の移行を制御する信号をアクセス端末へ送信することと、ここにおいて、前記送信された信号は、前記マイクロスリープ状態と、復号が禁じられている前記延長されたマイクロスリープ状態と、の間の移行を制御する、
前記送信された信号に基づいて、時間の関数としてアクセス端末状態を追跡することと、
前記追跡された状態に基づいて、前記アクセス端末へパケットを送る時間を識別することと
を備える方法。
【請求項３３】
前記アクセス端末が前記非不連続受信モードで動作している間、前記信号を送信することをさらに備える請求項３２に記載の方法。
【請求項３４】
交互に反復する２つの期間を含む延長されたマイクロスリープ・パターンを構成するために前記信号を前記アクセス端末へ送信することをさらに備え、
前記反復する期間のうちの第１の期間は、前記オン状態に関連し、前記反復する期間のうちの第２の期間は、前記延長されたマイクロスリープ状態に関連する請求項３２に記載の方法。
【請求項３５】
前記延長されたマイクロスリープ・パターンは、前記アクセス端末に対して、前記オン状態に関連する前記反復する期間の第１の期間のうちの少なくとも一部の間、受信機をオンに切り替えさせ、前記延長されたマイクロスリープ状態に関連する前記反復する期間の第２の期間の間、前記受信機をオフに切り替えさせる請求項３４に記載の方法。
【請求項３６】
前記反復する期間の第１の期間は、１つの送信時間インタバルであり、前記反復する期間の第２の期間は、複数の送信時間インタバルである請求項３５に記載の方法。
【請求項３７】
前記アクセス端末がダウンリンクによって転送された送信の復号を有効にすると判定された時に、前記アクセス端末へパケットを送信すること
をさらに備える請求項３２に記載の方法。
【請求項３８】
無線通信装置であって、
非不連続受信モードにおいて第１の期間と第２の期間とを含むパターンにしたがって、オン状態、マイクロスリープ状態、および延長されたマイクロスリープ状態間の切り替えを制御し、不連続受信モードの持続時間中に、前記オン状態と前記延長されたマイクロスリープ状態との間の切り替えを制御する信号をアクセス端末へ送ることと、ここにおいて、前記送信された信号は、前記マイクロスリープ状態と、復号が禁じられている前記延長されたマイクロスリープ状態と、の間の移行を制御する、
前記送信された信号に基づいて、時間の関数としてアクセス端末状態を追跡することと、
前記追跡された状態に基づいて、前記アクセス端末へ前記パケットを転送する時間を認識することと
に関連する命令群を保持するメモリと、
前記メモリに接続され、前記メモリに保持された命令群を実行するように構成されたプロセッサと
を備える無線通信装置。
【請求項３９】
前記メモリはさらに、前記アクセス端末が前記非不連続受信モードで動作している間に前記信号を送信することに関連する命令群を保持する
請求項３８に記載の無線通信装置。
【請求項４０】
前記メモリはさらに、交互に反復する２つの期間を含む延長されたマイクロスリープ・パターンを構成するために前記信号を前記アクセス端末へ送信することに関連する命令群を保持し、
前記反復する期間のうちの第１期間は、前記オン状態に関連し、前記反復する期間のうちの第２の期間は、前記延長されたマイクロスリープ状態に関連する請求項３８に記載の無線通信装置。
【請求項４１】
前記延長されたマイクロスリープ・パターンは、前記アクセス端末に対して、前記オン状態に関連する前記反復する期間のうちの第１の期間の少なくとも一部の間、受信機をオンに切り替えさせ、前記延長されたマイクロスリープ状態に関連する前記反復する期間のうちの第２の期間の間、前記受信機をオフに切り替えさせる請求項４０に記載の無線通信装置。
【請求項４２】
前記反復する期間のうちの第１の期間は、１つの送信時間インタバルであり、前記反復する期間のうちの第２の期間は、複数の送信時間インタバルである請求項４１に記載の無線通信装置。
【請求項４３】
前記メモリはさらに、前記アクセス端末が、ダウンリンクによって転送された送信の復号を有効にすると判定された時に、前記アクセス端末へ前記パケットを転送することに関連する命令群を保持する請求項３８に記載の無線通信装置。
【請求項４４】
無線通信環境におけるアクセス端末のスリープ状態の管理をイネーブルする無線通信装置であって、
非不連続受信モードにおいて第１の期間と第２の期間とを含むパターンにしたがって、オン状態、マイクロスリープ状態、および延長されたマイクロスリープ状態間の移行を制御し、不連続受信モードの持続時間中に、前記オン状態と前記延長されたマイクロスリープ状態との間の移行を制御する信号をアクセス端末へ送る手段と、ここにおいて、前記送信された信号は、前記マイクロスリープ状態と、復号が禁じられている前記延長されたマイクロスリープ状態と、の間の移行を制御する、
前記送信された信号に基づいて、時間の関数としてアクセス端末状態を追跡する手段と、
前記追跡された状態に基づいて、前記アクセス端末へパケットを送信する時間を決定する手段と、
前記決定された時間において、前記アクセス端末へ前記パケットを送信する手段と
を備える無線通信装置。
【請求項４５】
前記アクセス端末が前記非不連続受信モードで動作している間に前記信号を送信する手段をさらに備える請求項４４に記載の無線通信装置。
【請求項４６】
前記パターンは、交互に反復する２つの期間を含み、前記反復する期間のうちの第１の期間は、前記オン状態に関連し、前記反復する期間のうちの第２の期間は、前記延長されたマイクロスリープ状態に関連する請求項４４に記載の無線通信装置。
【請求項４７】
前記パターンは、前記アクセス端末に対して、前記オン状態に関連する前記反復する期間のうちの第１の期間のうちの少なくとも一部の間、受信機をオンに切り替えさせ、前記延長されたマイクロスリープ状態に関連する前記反復する期間のうちの第２の期間の間、前記受信機をオフに切り替えさせる請求項４６に記載の無線通信装置。
【請求項４８】
前記反復する期間のうちの第１の期間は、１つの送信時間インタバルであり、前記反復する期間のうちの第２の期間は、複数の送信時間インタバルである請求項４７に記載の無線通信装置。
【請求項４９】
非不連続受信モードにおいて第１の期間と第２の期間とを含む延長されたマイクロスリープ・パターンにしたがって、オン状態、マイクロスリープ状態、および延長されたマイクロスリープ状態間の移行を制御し、不連続受信モードの持続時間中に、前記オン状態と前記延長されたマイクロスリープ状態との間の移行を制御する信号をアクセス端末へ転送するためのコードと、ここにおいて、前記送信された信号は、前記マイクロスリープ状態と、復号が禁じられている前記延長されたマイクロスリープ状態と、の間の移行を制御する、
前記送信された信号に基づいて、時間の関数としてアクセス端末状態およびアクセス端末モードを追跡するためのコードと、
前記追跡された状態およびモードに基づいて、前記アクセス端末へパケットを送信する時間を解読するためのコードと、
前記解読された時間において、前記アクセス端末へ前記パケットを送信するためのコードと
を備えるコンピュータ読取可能な記録媒体。
【請求項５０】
前記アクセス端末が前記非不連続受信モードで動作している間に前記信号を転送するためのコードをさらに備える請求項４９に記載のコンピュータ読取可能な記録媒体。
【請求項５１】
前記延長されたマイクロスリープ・パターンは、交互に反復する２つの期間を含み、
前記反復する期間のうちの第１の期間は、前記オン状態に関連し、１つの送信時間インタバルであり、前記反復する期間のうちの第２の期間は、前記延長されたマイクロスリープ状態に関連し、複数の送信時間インタバルである
請求項４９に記載のコンピュータ読取可能な記録媒体。
【請求項５２】
前記延長されたマイクロスリープ・パターンは、前記アクセス端末を、前記オン状態に関連する前記反復する期間のうちの第１の期間のうちの少なくとも一部の間、受信機をオンに切り替えさせ、前記延長されたマイクロスリープ状態に関連する前記反復する期間のうちの第２の期間の間、前記受信機をオフに切り替えさせるように制御する請求項５１に記載のコンピュータ読取可能な記録媒体。
【請求項５３】
無線通信システムにおける装置であって、
非不連続受信モードにおいて第１の期間と第２の期間とを含むパターンにしたがって、オン状態、マイクロスリープ状態、および延長されたマイクロスリープ状態の間の移行を制御し、不連続受信モードの持続時間中に、前記オン状態と前記延長されたマイクロスリープ状態との間の移行を制御する信号をアクセス端末へ送信し、ここにおいて、前記送信された信号は、前記マイクロスリープ状態と、復号が禁じられている前記延長されたマイクロスリープ状態と、の間の移行を制御する、
前記送信された信号に基づいて、時間の関数としてアクセス端末状態を追跡し、
前記追跡された状態に基づいて、前記アクセス端末へパケットを送る時間を識別するように構成されたプロセッサデバイスを備える装置。
【発明の詳細な説明】
【関連出願に対する相互参照】
【０００１】
本出願は、２００７年５月１日に出願され"EXTENDED MICROSLEEP FOR COMMUNICATIONS"と題された米国仮出願６０／９１５，４２１号の利益を主張する。上記出願の全体は、参照によって本明細書に組み込まれる。
【技術分野】
【０００２】
以下の説明は、一般に無線通信に関し、さらに詳しくは、ロング・ターム・エボリューション（ＬＴＥ）ベースの無線通信システムにおけるアクセス端末のために、延長されたマイクロスリープを適用することに関する。
【背景技術】
【０００３】
無線通信システムは、例えば、無線通信システムによって提供される音声および／またはデータのようなさまざまなタイプの通信を提供するために幅広く開発された。一般的な無線通信システムまたはネットワークは、複数のユーザに、１または複数の共有リソース（例えば、帯域幅、送信電力等）へのアクセスを提供することができる。例えば、システムは、例えば周波数分割多重化（ＦＤＭ）、時分割多重化（ＴＤＭ）、符号分割多重化（ＣＤＭ）、直交周波数分割多重化（ＯＦＤＭ）等のようなさまざまな多元接続技術を使用することができる。
【０００４】
通常、無線多元接続通信システムは、複数の無線端末のための通信を同時にサポートすることができる。おのおのの端末は、順方向リンクおよび逆方向リンクでの送信によって、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システム等によって確立されうる。
【０００５】
無線通信システムはしばしば、有効範囲領域を提供する１または複数の基地局を適用する。一般的な基地局は、サービスをブロードキャスト、マルチキャスト、および／または、ユニキャストするために、複数のデータ・ストリームを送信する。ここでは、データ・ストリームは、アクセス端末への独立した受信でありうるデータのストリームでありうる。そのような基地局の有効範囲領域内のアクセス端末は、合成ストリームによって搬送された１、１より多く、あるいは全てのデータ・ストリームを受信するために適用されうる。同様に、アクセス端末は、基地局または他のアクセス端末へデータを送信しうる。
【０００６】
無線通信システムにおいてともに動作するアクセス端末は、信号を送信する送信機と、信号を受信する受信機とを含む。アクセス端末の送信機および受信機は（アクセス端末のその他任意の構成要素と同様に）、そのようなデバイスが動作状態にある間、バッテリによって駆動される。例えば、アクセス端末の受信機は、基地局からダウンリンク・チャネルによってアクセス端末へ向けて送られたデータをモニタしている間（例えば、受信したデータがアクセス端末へ向けられているかを判定するためにデータを復号している間）、バッテリ電力を消費する。一方、バッテリ電力は、受信機がこのようなモニタリングをしていない間は節約されうる。アクセス端末によって消費されるバッテリ電力は、アクセス端末によって実行される機能（例えば、動作）および／またはアクセス端末のコンフィグレーションに少なくとも部分的に依存しうる。それゆえ、アクセス端末によって利用されるバッテリ電力の量を低減することによって、アクセス端末の全体的なパフォーマンスを向上させるのみならず、バッテリ寿命が延長され、アクセス端末を使用するコストが低減される。
【発明の概要】
【０００７】
以下は、そのような実施形態の基本的な理解を提供するために、１または複数の実施形態の簡略化された概要を示す。この概要は、考えられる全ての実施形態の広範な概観ではなく、全ての実施形態の重要要素や決定的要素を特定することでも、任意または全ての実施形態の範囲を線引きすることでもないことが意図される。その唯一の目的は、１または複数の実施形態の幾つかの概念を、後に示されるより詳細な説明の前置きとして簡単な形式で示すことである。
【０００８】
１または複数の実施形態および対応する開示によれば、ＬＴＥベースの無線通信環境において、延長されたマイクロスリープを利用するアクセス端末の動作を容易にすることに関連するさまざまな態様が記載される。非ＤＲＸモードでは、アクセス端末は、第１の期間中、オン状態で動作し、第２の期間中、延長されたマイクロスリープ状態で動作しうる。さらに、第１の期間および第２の期間は、これらの期間が交互する反復パターンを形成しうる。したがって、アクセス端末は、第１の期間中、受信機をオンし（例えば、オン状態にある間、ダウンリンク情報を復号し）、第２の期間中、受信機をオフしうる（延長されたマイクロスリープ状態にある間、ダウンリンク情報の復号を禁じる）。さらに、反復パターンにおける第１の期間は、１ＴＴＩ（例えば、１ミリ秒）であり、反復パターンにおける第２の期間は、複数のＴＴＩ（例えば、５ミリ秒）でありうる。
【０００９】
関連する態様によれば、本明細書では、ロング・ターム・エボリューション（ＬＴＥ）ベースの無線通信環境におけるアクセス端末の動作を容易にする方法が記載される。この方法は、パターンのうちの第１の期間のうちの少なくとも一部の間、ダウンリンク送信を復号するために、パターンのうちの第１の期間の間、アクセス端末をオン状態に切り替えることを含みうる。さらに、この方法は、復号が禁じられているパターンのうちの第２の期間の間、アクセス端末を延長されたマイクロスリープ状態に切り替えることを含みうる。さらに、この方法は、第１の期間と第２の期間とを交互に反復することによって、アクセス端末を、このパターンにしたがって状態間で切り替え続けることを備えうる。
【００１０】
別の態様は、無線通信装置に関する。この無線通信装置は、パターンのうちの第１の期間のうちの少なくとも一部の間、ダウンリンク送信を復号するために、パターンのうちの第１の期間の間、オン状態に切り替えることと、復号が禁じられている第２の期間の間、延長されたマイクロスリープ状態に切り替えることと、非アクティビティ・タイマが時間切れになったかを判定することと、非アクティビティ・タイマが時間切れになっていないと判定されている限り、交互に反復するように、状態間を切り替え続けることと、非アクティビティ・タイマが、時間切れになったと判定されると、不連続受信（ＤＲＸ）モードへ移行することとに関連する命令群を保持するメモリを備えうる。さらに、無線通信装置は、メモリに接続され、このメモリに保持された命令群を実行するように構成されたプロセッサを含みうる。
【００１１】
また別の態様は、ロング・ターム・エボリューション（ＬＴＥ）ベースの無線通信環境において変更可能モードかつスリープ状態でアクセス端末を動作させることを可能にする無線通信装置に関する。この無線通信装置は、非不連続受信（非ＤＲＸ）モードの動作に移行する手段を含みうる。さらに、この無線通信装置は、予め定めたパターンにしたがって、オン状態と延長されたマイクロスリープ状態とを切り替える手段を含みうる。さらに、この無線通信装置は、非アクティビティ時間のしきい長さに達したかを判定する手段を備えうる。さらに、この無線通信装置は、非アクティビティ時間のしきい長さに達すると、不連続受信（ＤＲＸ）モードの動作に移行する手段を含みうる。
【００１２】
また、別の態様は、コンピュータ読取可能媒体を含みうるコンピュータ・プログラム製品に関する。コンピュータ読取可能媒体は、パターンのうちの第１の期間のうちの少なくとも一部の間、ダウンリンク送信を復号するために、パターンのうちの第１の期間の間、アクセス端末をオン状態に切り替えるためのコードと、復号が禁じられているパターンのうちの第２の期間の間、アクセス端末を延長されたマイクロスリープ状態に切り替えるためのコードと、第１の期間と第２の期間とを交互に反復させることによって、アクセス端末を、パターンにしたがって状態間で切り替え続けるためのコードとを含みうる。
【００１３】
別の態様によれば、無線通信システムにおける装置は、プロセッサを含みうる。このプロセッサは、第１の期間のうちの少なくとも一部の間、ダウンリンク送信を復号するために、第１の期間、オン状態に切り替えるように構成されうる。さらに、このプロセッサは、復号が禁じられている第２の期間の間、延長されたマイクロスリープ状態に切り替えるように構成されうる。このプロセッサはまた、非アクティビティ・タイマが時間切れになったかを判定するように構成されうる。さらに、プロセッサは、非アクティビティ・タイマが時間切れになっていないと判定されている限り、交互に反復するように、状態間を切り替え続けるように構成されうる。さらに、プロセッサは、非アクティビティ・タイマが時間切れになったと判定されると、不連続受信（ＤＲＸ）モードに移行するように構成されうる。
【００１４】
他の態様によれば、本明細書では、ロング・ターム・エボリューション（ＬＴＥ）ベースの無線通信環境におけるアクセス端末の状態を制御することを容易にする方法が記述される。この方法は、オン状態、マイクロスリープ状態、および延長されたマイクロスリープ状態間の移行を制御する信号をアクセス端末へ送信することを含みうる。さらに、この方法は、送信された信号に少なくとも部分的に基づいて、時間の関数として、アクセス端末状態を追跡することを備えうる。さらに、この方法は、追跡された状態に基づいて、アクセス端末へパケットを送る時間を識別することを含みうる。
【００１５】
また、別の態様は、オン状態、マイクロスリープ状態、および延長されたマイクロスリープ状態間の切り替えを制御する信号をアクセス端末に送ることと、送信された信号に少なくとも部分的に基づいて、時間の関数として、アクセス端末状態を追跡することと、追跡された状態に基づいて、アクセス端末へパケットを転送する時間を認識することとに関連する命令群を保持するメモリを含みうる無線通信装置に関する。さらに、無線通信装置は、メモリに接続されメモリに保持された命令群を実行するように構成されたプロセッサを備えうる。
【００１６】
別の態様は、ロング・ターム・エボリューション（ＬＴＥ）ベースの無線通信環境におけるアクセス端末のスリープ状態を管理することをイネーブルする無線通信装置に関する。この無線通信装置は、パターンにしたがって、オン状態、マイクロスリープ状態、および延長されたマイクロスリープ状態間の移行を制御する信号をアクセス端末へ送る手段を含みうる。さらに、この無線通信装置は、送られた信号に少なくとも部分的に基づいて、時間の関数として、アクセス端末状態を追跡する手段を含みうる。無線通信装置はさらに、追跡した状態に基づいて、アクセス端末へパケットを送る時間を決定する手段を備えうる。さらに、無線通信装置は、決定した時間において、アクセス端末へパケットを送信する手段を含みうる。
【００１７】
また別の態様は、コンピュータ読取可能媒体を備えるコンピュータ・プログラム製品に関する。コンピュータ読取可能媒体は、延長されたマイクロスリープ・パターンにしたがって、オン状態、マイクロスリープ状態、および延長されたマイクロスリープ状態間の移行を制御する信号をアクセス端末へ転送するためのコードと、送られた信号に少なくとも部分的に基づいて、時間の関数として、アクセス端末状態およびアクセス端末モードを追跡するためのコードと、追跡された状態およびモードに基づいて、アクセス端末へパケットを送る時間を解読するためのコードと、解読された時間においてパケットをアクセス端末へ送るためのコードとを含みうる。
【００１８】
別の態様によれば、無線通信システムにおける装置は、プロセッサを含みうる。このプロセッサは、オン状態、マイクロスリープ状態、および延長されたマイクロスリープ状態間の移行を制御する信号をアクセス端末へ送信するように構成されうる。さらに、このプロセッサは、送信された信号に少なくとも部分的に基づいて、時間の関数として、アクセス端末状態を追跡するように構成されうる。さらに、プロセッサは、追跡された状態に基づいて、アクセス端末へパケットを送る時間を識別するように構成されうる。
【００１９】
前述した目的および関連する目的を達成するために、１または複数の実施形態は、後に十分に記載され特に請求項において指摘される特徴を備えている。以下の記載および添付図面は、１または複数の実施形態のある例示的な態様を詳細に述べている。しかしながら、これらの態様は、権利主張されたさまざまな実施形態の原理が適用されるさまざまな方法のうちのほんの僅かを示すに過ぎず、記載された実施形態は、そのような全ての態様およびそれらの等化物を含むことが意図されている。
【図面の簡単な説明】
【００２０】
【図１】図１は、本明細書に記載されたさまざまな態様にしたがった無線多元接続システムを例示する。
【図２】図２は、アクセス端末が、ＬＴＥベースの無線通信環境において動作している間、延長されたマイクロスリープ・モードを利用できるようにするシステムの例の例示である。
【図３】図３は、ＬＴＥベースの無線通信システムにおけるアクセス端末のために延長されたマイクロスリープを用いることを例示するタイミング図の例の例示である。
【図４】図４は、ＬＴＥベースの無線通信システムにおけるアクセス端末に関連付けられた状態図の例の例示である。
【図５】図５は、ＬＴＥベースの無線通信環境におけるアクセス端末を動作させることを容易にする方法論の例の例示である。
【図６】図６は、ＬＴＥベースの無線通信環境におけるアクセス端末のために延長されたマイクロスリープ状態を用いることを容易にする方法論の例の例示である。
【図７】図７は、ＬＴＥベースの無線通信環境におけるアクセス端末の状態を制御することを容易にする方法論の例の例示である。
【図８】図８は、ＬＴＥベースの無線通信システムにおいて延長されたマイクロスリープを利用するアクセス端末の例の例示である。
【図９】図９は、ＬＴＥベースの無線通信環境におけるアクセス端末の状態を制御することを容易にするシステムの例の例示である。
【図１０】図１０は、本明細書に記載されたさまざまなシステムおよび方法と共に適用されうる無線ネットワーク環境の例の例示である。
【図１１】図１１は、ＬＴＥベースの無線通信環境において、変更可能受信モードかつスリープ状態でアクセス端末を動作させることを可能にするシステムの例を例示する。
【図１２】図１２は、ＬＴＥベースの無線通信環境においてアクセス端末のスリープ状態を管理することを可能にするシステムの例の例示である。
【発明を実施するための形態】
【００２１】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、１または複数の実施形態の記載を容易にするために、周知の構成およびデバイスがブロック図形式で示される。
【００２２】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２３】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムに使用されうる。「システム」、「ネットワーク」という用語はしばしば交換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実施することができる。ＯＦＤＭＡシステムは、例えばエボルブドＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。
【００２４】
単一のキャリア周波数分割多元接続（ＳＣ−ＦＤＭＡ）は、単一のキャリア変調および周波数領域等値化を利用する。ＳＣ−ＦＤＭＡは、ＯＦＤＭＡシステムと同様のパフォーマンスおよび全体的に実質的に同じ複雑さを有する。ＳＣ−ＦＤＭＡ信号は、固有の単一キャリア構造により、低いピーク対平均電力比（ＰＡＰＲ）を有する。ＳＣ−ＦＤＭＡは、例えば、低いＰＡＰＲが送信電力効率の観点からアクセス端末に大いに利益をもたらすアップリンク通信において使用される。したがって、ＳＣ−ＦＤＭＡは、３ＧＰＰロング・ターム・エボリューション（ＬＴＥ）またはエボルブドＵＴＲＡにおいてアップリンク多元接続スキームとして実現されうる。
【００２５】
さらに、さまざまな実施形態が、本明細書では、アクセス端末に関して記載される。アクセス端末はまた、システム、加入者ユニット、加入者局、モバイル局、モバイル、遠隔局、遠隔端末、モバイル・デバイス、ユーザ端末、無線通信デバイス、ユーザ・エージェント、ユーザ・デバイス、またはユーザ機器（ＵＥ）とも称されうる。アクセス端末は、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して記載される。基地局は、アクセス端末と通信するために利用され、また、アクセス・ポイント、ノードＢ、エボルブド・ノードＢ（ｅノードＢ）、またはその他幾つかの専門用語でも称されうる。
【００２６】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２７】
図１に示すように、本明細書で示されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多い、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２８】
基地局１０２は、例えばアクセス端末１１６およびアクセス端末１２２のような１または複数のアクセス端末と通信することができる。しかしながら、基地局１０２は、アクセス端末１１６およびアクセス端末１２２に類似した実質的に任意の数のアクセス端末と通信しうることが理解されるべきである。アクセス端末１１６およびアクセス端末１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、アクセス端末１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、アクセス端末１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２９】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連する有効範囲にランダムに散在したアクセス端末１１６、１２２に送信するためにビームフォーミングを利用している間、近隣セル内のアクセス端末は、全てのアクセス端末に対して単一アンテナによって送信している基地局に比べて、少ない干渉しか被らない。
【００３０】
システム１００は、アクセス端末１１６、１２２の動作のためにバッテリ節電アプローチを適用することができる。さらに詳しくは、システム１００は、アクセス端末１１６、１２２のバッテリ電力を節約するために、不連続受信（ＤＲＸ）モードを適用しうる。ここでは、アクセス端末１１６、１２２は、（例えば基地局１０２等のような）ネットワークとネゴシエートして、ＤＲＸフェーズの識別および／またはスケジュールを行う。この間、アクセス端末１１６、１２２は、ダウンリンクを介して特定のアクセス端末１１６、１２２へ向けて転送された情報（例えば、制御チャネル上の制御情報、送信等）を傍受するために、それぞれの受信機を適用する。さらにあるいはその代わりに、アクセス端末１１６、１２２のそれぞれの受信機が、転送された情報を取得するために動作することができるＤＲＸフェーズは、予め定めたプロトコルにしたがって記述されうる。転送された情報の傍受がスケジュールされている以外の時間中、おのおののアクセス端末１１６、１２２は、それぞれの受信機をオフして、低電力状態（例えば、スリープ状態等）に入る。したがって、アクセス端末１１６、１２２は、ダウンリンク・チャネルによって特定のアクセス端末１１６、１２２へ送られた情報をモニタするために受信機がアクティブとされる「オン持続時間」、および節電するために受信機が非アクティブとされる「オフ持続時間」を持つＤＲＸサイクルを利用しうる。さらに、ＤＲＸサイクルの間（例えば、ＤＲＸサイクルの「オン持続時間」および「オフ持続時間」の間）、基地局１０２とおのおののアクセス端末１１６、１２２との間のデータ交換が禁止される（一方、例えば制御情報のようなその他の情報は、ＤＲＸサイクルの「オン持続時間」中、受信されうる）。
【００３１】
以下の例は、アクセス端末１１６を記載するが、さらにあるいはその代わりに、アクセス端末１２２および／または任意の異なるアクセス端末（図示せず）にも関連しうることが認識されるべきである。基地局１０２からデータを受信することを可能にするために、アクセス端末１１６は、連続受信（ＣＲＸ）モード（例えば、非ＤＲＸモード）に切り替わりうる。ＣＲＸは、基地局１０２とアクセス端末１１６との間のアクティブなデータ交換を可能にしうる。したがって、ＣＲＸモードで動作しているアクセス端末１１６は、データおよび／または制御情報を受信しうる。しかしながら、ＣＲＸモードでアクセス端末１１６を使用することは、ＤＲＸモードにおける動作と比較してより電力を消費しうる。
【００３２】
ロング・ターム・エボリューション（ＬＴＥ）におけるＤＲＸ機能の第３世代パートナシップ計画（３ＧＰＰ）設計に関し、アクセス端末１１６がＤＲＸ中にデータ（例えば、制御チャネルにおける送信）を受信した場合、このアクセス端末１１６は、連続モニタリングに移行する。連続モニタリングの間、アクセス端末は、従来、例えば連続するパケット間のような短時間で、受信機をオフ状態に切り替えることはできない。一方、システム１００によって、アクセス端末１１６は、非ＤＲＸモード（例えば、ＣＲＸモード等）にある間、オン／オフ切替パターンを適用できるようになる。これによって、受信機は、第１の期間、アクティブとされ、第２の期間、非アクティブとされ、第１の期間中はアクティブとなり、第２の期間中は非アクティブとなるパターンが反復されうる。一例として、そのようなパターンの使用は、アクセス端末１１６に関連する節電を高めながら、ボイス・オーバ・インターネット・プロトコル（ＶｏＩＰ）をサポートする。
【００３３】
したがって、システム１００は、非ＤＲＸ（例えば、ＣＲＸ）にある間、パケットを受信するために、短期間（例えば、１ミリ秒）の間、対応する受信機（例えば、アクセス端末１１６内に含まれる受信機、アクセス端末１１６に接続された受信機、等）をオンし、その後、短期間（例えば、５ミリ秒）の間、スリープに戻すことができる。さらに、パケットの傍受およびスリープのパターンは、アクセス端末１１６によって反復されうる。さらに、パケットが受信されないしきい時間長さ後、アクセス端末１１６は、（例えば、ＣＲＸモードのような非ＤＲＸモードから）ＤＲＸモードに移行することができる。上述したように、上記の例は、アクセス端末１１６について記載しているが、そのような例は、同様に、アクセス端末１２２および／または任意の他のアクセス端末（図示せず）にも当てはまることが認識されるべきである。さらに、本明細書における例の多くは、受信機を、１ミリ秒間（例えば、１送信時間インタバル（ＴＴＩ））オンし、５ミリ秒間（例えば、５ＴＴＩ）オフする（または、０．５ミリ秒間オンし、５．５ミリ秒間オフする）ことを切り替えるパターンを適用することを記載しているが、反復パターンにおいて、任意のサイズのＴＴＩが使用されるか、および／または、任意の長さの時間／ＴＴＩ数についてオンとオフが切り替えられる（例えば、１ＴＴＩ未満、１ＴＴＩ、１ＴＴＩ超の間オンし、５ＴＴＩ未満、５ＴＴＩ、５ＴＴＩ超の間オフし、１ミリ秒未満、１ミリ秒、１ミリ秒超の間オンし、５ミリ秒未満、５ミリ秒、５ミリ秒超の間オフする等）ことが認識されるべきである。
【００３４】
図２に移って、アクセス端末が、ＬＴＥベースの無線通信環境で動作しながら、延長されたマイクロスリープ状態を利用できるようにするシステム２００が例示される。システム２００は、互いに通信可能なアクセス端末２０２および基地局２０４を含んでいる。１つのアクセス端末２０２および１つの基地局２０４しか例示されていないが、システム２００は、おのおのがアクセス端末２０２と類似した複数のアクセス端末と、および／または、おのおのが基地局２０４に類似した複数の基地局とを含みうることが認識されるべきである。
【００３５】
アクセス端末２０２は、１または複数のダウンリンク・チャネルによって基地局２０４から送られた情報、信号、データ、命令、コマンド、ビット、シンボル等を受信することができる。アクセス端末２０２は、そのような情報、信号、データ、命令、コマンド、ビット、シンボル等を受信する受信機２０６を含みうる。例えば、受信機２０６は、受信アンテナ（図示せず）から信号を受信し、この受信した信号について一般的な動作（例えば、フィルタ、増幅、ダウンコンバート、復調等）を実行し、調整された信号をデジタル化して、サンプルを得る。同様に、図示していないが、基地局２０４も、１または複数のアップリンク・チャネルによってアクセス端末２０２から送られた受信情報、信号、データ、命令群、コマンド、ビット、シンボル等について同様の動作を実行する受信機（図示せず）を含みうる。
【００３６】
アクセス端末２０２はさらに、特定の時間においてアクセス端末２０２によって利用される受信モード（例えば、アクセス端末２０２の受信機２０６によって利用される受信モード）を制御する受信モード・コンバータ２０８を含みうる。例えば、受信モード・コンバータ２０８は、アクセス端末２０２によって使用される受信モードを変更することができる。したがって、受信モード・コンバータ２０８は、ＤＲＸモード、非ＤＲＸモード（例えば、ＣＲＸモード等）、これらの組み合わせ等を切り替えることができる。一例として、受信機２０６がＤＲＸモードにある間にデータを受信する（例えば、アクセス端末２０２へ向けられたダウンリンク制御チャネルにおける送信を受信／復号する）と、受信モード・コンバータ２０８は、アクセス端末２０２のために、非ＤＲＸモード（例えば、ＣＲＸモード等）の使用に切り替える。受信モード・コンバータ２０８は、受信機２０６がオンであるインタバル中（例えば、ＤＲＸサイクルの「オン持続時間」の間）に、アクセス端末２０２が（例えば、受信機２０６によって）パケットを受信した場合、アクセス端末２０２が連続受信（例えば、非ＤＲＸ、ＣＲＸ等）に移行するように制御する。別の例示によれば、受信モード・コンバータ２０８は、（例えば、基地局２０４等からの）明示的な媒体アクセス制御（ＭＡＣ）シグナリングに応答して、アクセス端末２０２によって使用されるモードを変更することができる。また、受信モード・コンバータ２０８（および／または、一般にアクセス端末２０２）は、アクセス端末２０２を、ＤＲＸモードにおける動作から非ＤＲＸモードへ、非ＤＲＸモードからＤＲＸモードへ、および／または、任意の別のモード間で変更させることを有効にするために利用されるＭＡＣシグナリングを得ることができる。別の例によれば、受信モード・コンバータ２０８は、アクセス端末２０２が、例えばランダム・アクセス・チャネル（ＲＡＣＨ）でアップリンク信号を送ると、アクセス端末２０２によって利用されるモードを（例えば、ＤＲＸモードから非ＤＲＸモードへ）変更することができる。
【００３７】
受信モード・コンバータ２０８はさらに、アクセス端末２０２が非ＤＲＸモードにある間に（受信機２０６を介して基地局２０４から）データを取得したか、および／または、データが最後に取得されてからの時間の長さ、をモニタする非アクティビティ・タイマ２１０を含むことができる。アクセス端末２０２が、非ＤＲＸの間、（例えば、非アクティビティ・タイマ２１０が時間切れになるなど）しきい時間長さよりも長い期間、どのデータも受信しない場合には、受信モード・コンバータ２０８が、アクセス端末２０２をＤＲＸモードへ戻すために非アクティビティ・タイマ２１０は使用されうる。非アクティビティ・タイマ２１０によって利用されるしきい時間長さは、任意の方式によって設定されうる。例えば、しきい時間長さは、予め定められる、関数に基づいて生成される、システム２００内の（例えば、アクセス端末２０２の、基地局２０４の、システム２００内の別の任意のノード（図示せず）等の）メモリに保持される、ユーザによって調節される、傾向分析に基づいて変更される、基地局２０４から送られた信号によって制御される等でありうるが、前述したものは、例として述べられたものであり、特許請求される主題はそれに限定されないことが認識されるべきである。
【００３８】
さらに、アクセス端末２０２は、アクセス端末２０２（例えば、受信機２０６）をオン状態、マイクロスリープ状態、延長されたマイクロスリープ状態、これらの組み合わせ等から／へ切り替えるスリープ状態トランジショナ２１２を含みうる。例えば、スリープ状態トランジショナ２１２は、アクセス端末２０２が（例えば、受信モード・コンバータ２０８によって制御されたように）非ＤＲＸモードにある間、アクセス端末２０２の状態を、マイクロスリープ、延長されたマイクロスリープ間で変更するために利用されうる。スリープ状態トランジショナ２１２は、基地局２０４から信号（例えば、明示的なＭＡＣシグナリング等）を受信したことに応答して、アクセス端末２０２の状態を調節することができる。さらにあるいはその代わりに、スリープ状態トランジショナ２１２は、予め定めたパターンを用いて、アクセス端末２０２の状態を変更することができる。例えば、スリープ状態トランジショナ２１２は、アクセス端末２０２の状態を制御するために、予め定めたパターンと、明示的なＭＡＣシグナリングとの両方を適用しうる。スリープ状態トランジショナ２１２を用いることによって、アクセス端末２０２は、非ＤＲＸの間であっても、スリープ可能となる。
【００３９】
さらに、基地局２０４は、アクセス端末（ＡＴ）スリープ状態コントローラ２１４を含みうる。ＡＴスリープ状態コントローラ２１４は、アクセス端末２０２がスリープ状態（例えば、マイクロスリープ、延長されたマイクロスリープ等）にあるか、および／または、オン状態にあるかを調節するために、アクセス端末２０２へ送信され、アクセス端末２０２のスリープ状態トランジショナ２１２によって使用される明示的なシグナリングを生成することができる。ＡＴスリープ状態コントローラ２１４を使用することによって、基地局２０４は、（例えば、アクセス端末２０２が非ＤＲＸモードにある間等）アクセス端末２０２によって適用されるスリープ・パターンを制御できるようになる。さらに、図示していないが、ＡＴスリープ状態コントローラ２１４は同様に、ＭＡＣシグナリングを用いる任意の数の異なるアクセス端末（図示せず）のスリープをも管理しうることが認識される。さらに、ＡＴスリープ状態コントローラ２１４（および／または、一般に基地局２０４の別の構成要素および／または基地局２０４）は、アクセス端末２０２のモードを制御するために、明示的なＭＡＣシグナリング（例えば、ＤＲＸおよび非ＤＲＸ等のような異なるモード間での変更のためにアクセス端末２０２の受信モード・コンバータ２０８によって導入されうるシグナリング）を用いることができる。
【００４０】
さらに、基地局２０４はさらに、アクセス端末２０２（および／または、任意の数の異なるアクセス端末（図示せず））のスリープ状態および／または現在のモードを追跡する受信モード／スリープ状態トラッカ２１６を備えうる。受信モード／スリープ状態トラッカ２１６は、アクセス端末２０２に対して、例えばその現在のモードおよび／またはスリープ状態に関する情報を問い合わせることができる。別の例示によれば、受信モード／スリープ状態トラッカ２１６は、基地局２０４からアクセス端末２０２へ転送された明示的なＭＡＣシグナリング（例えば、受信モードを変更する明示的なＭＡＣシグナリングや、スリープ状態コントローラ２１４によって生成され、スリープ状態を調節する明示的なＭＡＣシグナリング）に応じて、アクセス端末２０２のスリープ状態および／または現在のモードを解読する。さらに、受信モード／スリープ状態トラッカ２１６は、将来の時点および／または前の時点におけるアクセス端末２０２のスリープ状態および／またはモードを（例えば、予め定めたプロトコル、基地局２０４のメモリに保持された明示的なシグナリングに関する情報等に基づいて）決定することができる。さらに、アクセス端末２０２へ向けられたパケットをいつ送信するかを識別するために、基地局２０４によって、受信モード／スリープ状態トラッカ２１６が導入されうる。例示によれば、受信モード／スリープ状態トラッカ２１６は、受信機２０６がアクセス端末２０２のスリープ状態およびモードに基づいてダウンリンク・チャネルを復号している特定の時間（帯）を認識することができる。したがって、基地局２０４は、（例えば、受信機２０６がオフである別の時間中ではなく）この識別された時間中、これらのチャネルを介してパケットを転送することができる。
【００４１】
次の例は、システム２００の動作を示すが、権利主張される主題はそれに限定されないものと認識される。システム２００は、おのおの１ミリ秒である（が、任意のサイズのＴＴＩが考慮されうる）送信時間インタバル（ＴＴＩ）（例えば、サブフレーム）を適用することができる。おのおののＴＴＩは、ラジオ・リンク上で独立して復号可能な送信でありうる。さらに、おのおののＴＴＩは、制御チャネル部分と、データ部分との２つの部分へ分割されうる（例えば、おのおののＴＴＩが１ミリ秒である場合、制御チャネル部分は、０．５ミリ秒であり、データ部分は、０．５ミリ秒でありうる）。（例えば、受信モード・コンバータ２０８によって制御されるように）非ＤＲＸモードである場合、受信機２０６は、（例えば、基地局２０４から）送られた制御チャネル情報が、アクセス端末２０２へ向けられているかを判定するために、ＴＴＩの制御チャネル部分を復号する。ＴＴＩの制御チャネル部分が復号されると、制御チャネル情報がアクセス端末２０２へ向けられており、アクセス端末２０２（例えば、受信機２０６）が、ＴＴＩのデータ部分を復号できると認識される。しかしながら、アクセス端末２０２へ向けられた制御チャネル情報が、ＴＴＩの制御チャネル部分から欠落していると判定されると、スリープ状態トランジショナ２１２は、アクセス端末２０２を、ＴＴＩのデータ部分の間、マイクロスリープ状態へ切り替える（例えば、アクセス端末２０２は、マイクロスリープ状態にある場合、０，５ミリ秒間スリープする）。したがって、ＴＴＩの後半（例えば、１ミリ秒インタバルの後半）の間、スリープ状態トランジショナ２１２は、アクセス端末２０２を、スリープに切り替える（例えば、アクセス端末２０２を、マイクロスリープ状態に切り替える）。例えば、（例えば、基地局２０４のＡＴスリープ状態コントローラ２１４によって送られた）ＭＡＣシグナリングは、マイクロスリープ状態へ変更するようスリープ状態トランジショナ２１２を制御する。さらにあるいはその代わりに、スリープ状態トランジショナ２１２は、そのようなシナリオの下では、オン状態からマイクロスリープ状態へ変更するために、予め定めたパターンを利用することができる。
【００４２】
さらに、マイクロスリープ状態から、スリープ状態トランジショナ２１２は、アクセス端末２０２を、延長されたマイクロスリープ状態に移行させる。例えば、延長されたマイクロスリープ状態は、５ミリ秒間継続しうる。しかしながら、アクセス端末２０２がスリープする時間の長さは、延長されたマイクロスリープ状態のために任意に適用されうることが認識されるべきである。さらに、（例えば、基地局２０４のスリープ状態コントローラ２１４によって送られた）ＭＡＣシグナリングは、（例えば、スリープ状態トランジショナ２１２によって実施されるように）マイクロスリープ状態と延長されたマイクロスリープ状態との間での移行のために使用されうる。例示によれば、延長されたマイクロスリープ状態では、受信機２０６は、複数のＴＴＩ（例えば、５ＴＴＩ、おのおののＴＴＩが１ミリ秒である場合、５ミリ秒）からなる両部分（例えば、制御チャネル部分とデータ部分）の間、オフし続ける。したがって、ＴＴＩの制御チャネル部分であれ、データ部分であれ、複数のＴＴＩの間、ダウンリンクによって送られた任意の情報、データ、信号等は復号されないだろう。これは、アクセス端末２０２に関連する節電となる。
【００４３】
上記にしたがって、受信機２０６がオンである場合に判定されるように、ＴＴＩの最初の０．５ミリ秒（例えば、ＴＴＩの制御チャネル部分）の間、アクセス端末２０２に関する情報が受信されないのであれば、アクセス端末２０２は、（スリープ状態トランジショナ２１２によって制御されるように、）マイクロスリープ状態に切り替わることができる。アクセス端末２０２は、ＴＴＩの次の０．５ミリ秒間（例えば、ＴＴＩのデータ部分）、マイクロスリープ状態にとどまることができる。さらに、ＴＴＩの次の０．５ミリ秒の後、アクセス端末２０２は、スリープ状態トランジショナ２１２によって、５ミリ秒間、延長されたマイクロスリープ状態に移動することができる。延長されたマイクロスリープ状態での５ミリ秒の後、アクセス端末２０２は、スリープ状態トランジショナ２１２によって再びオン状態に戻り、ＴＴＩの最初の０．５ミリ秒をモニタできるようになる。そのようなパターンは、アクセス端末２０２へ向けられた情報が、ＴＴＩの復号された制御チャネル部分から欠落している限り、非アクティビティ・タイマ２１０によってモニタされるしきい時間長さの間（例えば、ＡＴスリープ状態コントローラ２１４からの明示的なＭＡＣシグナリング、および／または、予め定めたパターンを用いて）、反復しうる。そして、しきい値に達すると、受信モード・コンバータ２０８は、アクセス端末２０２を非ＤＲＸモードからＤＲＸモードへと切り替える。
【００４４】
したがって、受信機２０６が制御チャネル情報を復号することが禁じられるスリープ期間は、マイクロスリープ状態とともに延長されたマイクロスリープ状態が利用される場合、（延長されたマイクロスリープ状態なしでマイクロスリープ状態を用いる場合と比べて）さらに５ミリ秒延長されうる。スリープ時間を延長することによって、アクセス端末２０２は、スリープ中にアウェイクすることも、（例えば、受信機２０６を用いて）ダウンリンク・チャネルをモニタする必要もないので、節電することができる。
【００４５】
図３に示すように、ＬＴＥベースの無線通信システムにおいて、アクセス端末（例えば、図２のアクセス端末２０２）のために延長されたマイクロスリープを使用することを例示するタイミング図３００の例が例示される。部分３０２の間、アクセス端末は、非ＤＲＸモードでありうる。それゆえ、受信機（例えば、図２の受信機２０６）は、１ミリ秒（例えば、ＴＴＩ）間オンされ、５ミリ秒間（例えば、５ＴＴＩ）オフされうる。１ミリ秒間オンで、５ミリ秒間オフするという受信機のパターンは、反復されるパターンになりうる。さらに、図示していないが、受信機は、１ミリ秒のインタバルの前半の間（例えば、ＴＴＩの制御チャネル部分に関する０．５ミリ秒間）オンされ、アクセス端末に関する制御情報が特定の１ミリ秒インタバルの前半の間に受信されない場合、この受信機は、与えられた１ミリ秒インタバルの後半の間（例えば、ＴＴＩのデータ部分に関する０．５ミリ秒間）、オフされうることが認識されるべきである。この例によれば、部分３０２の間にアクセス端末によって適用されるパターンは、０．５ミリ秒間、受信機をアクティブにし、５．５ミリ秒間、受信機を非アクティブにするものである。なお、これらアクティブ化および非アクティブ化の期間は反復されうる。
【００４６】
さらに、部分３０２の間、非アクティビティ・タイマが、アクセス端末へ向けられた最後のパケットが受信された時間長さをモニタするように動作しうる。したがって、しきい時間長さにわたって非ＤＲＸである間、アクセス端末がどのデータも受信しないのであれば、アクセス端末は、タイマが時間切れになったとき、ＤＲＸ３０４に入る。ＤＲＸ３０４では、アクセス端末の受信機の「オン持続時間」３０６と「オフ持続時間」３０８とが適用されうる（例えば、「オン持続時間」３０６および「オフ持続時間」３０８とが反復される（図示せず））。さらに、図示していないが、ＤＲＸの間に、受信機がデータを取得すると、アクセス端末は、連続モニタリング（例えば、非ＤＲＸモード、部分３０２等）に移行する。さらに、図示されていないが、アクセス端末は、ＤＲＸサイクル３０４の「オン持続時間」３０６中、（例えば、部分３０２で利用されるオン／オフパターンに類似のパターンを用いて、）延長されたマイクロスリープに入りうることが認識されうる。
【００４７】
図４に移って、ＬＴＥベースの無線通信システムにおけるアクセス端末に関連する状態図４００の例が例示されている。状態図４００は２つのモード、すなわち、ＤＲＸモード４０２と非ＤＲＸモード４０４とを含んでいる。アクセス端末（例えば、図２のアクセス端末２０２）は、受信したＭＡＣ信号（例えば、図２の基地局２０４によって発信された明示的なＭＡＣシグナリング）、ＤＲＸモード４０２中にデータ（例えば、アクセス端末２０２に向けられ、基地局２０４から得られたデータ）が受信されること、および／または、アクセス端末がＲＡＣＨによって（例えば、基地局２０４）へ送信を送ることに基づいて、ＤＲＸモード４０２から非ＤＲＸモード４０４へ移行しうる。さらに、アクセス端末は、ＭＡＣ信号（例えば、基地局２０４によって発信された明示的なＭＡＣシグナリング）が受信されると、および／または、非アクティビティ・タイマが時間切れになる（例えば、図２の非アクティビティ・タイマ２１０によって設定されたしきい時間長さに達する）と、非ＤＲＸモード４０４からＤＲＸモード４０２へ移行することができる。
【００４８】
非ＤＲＸモード４０４にある場合、アクセス端末は、マイクロスリープ状態４０６と、延長されたマイクロスリープ状態４０８との間で切り替わる。例えば、そのような切り替えは、ＭＡＣ信号（例えば、図２のＡＴスリープ状態コントローラ２１４によって発信されたＭＡＣシグナリング）を受信することに基づいて引き起こる。したがって、アクセス端末（例えば、図２の受信機２０６）のための所望のスリープ関連パターンは、明示的なＭＡＣシグナリングによって達成されうる。さらにあるいはその代わりに、非ＤＲＸモード４０４にある間、スリープ状態と非スリープ状態との間で移行するために、予め定めたパターンが、アクセス端末によって利用されうる。例えば、予め定めたパターンは、そのような状態関連の移行を有効にする明示的なＭＡＣシグナリングとともに使用されうる。
【００４９】
さらに、図示していないが、アクセス端末は、非ＤＲＸモード４０４にある間、オン状態へ、および／または、オン状態から移行することができる。したがって、アクセス端末は、オン状態とマイクロスリープ状態４０６との間で移行する（あるいは、移行される）。さらに、アクセス端末は、オン状態と延長されたマイクロスリープ状態４０８との間で移行する（あるいは、移行される）。
【００５０】
図５乃至図７に示すように、ＬＴＥベースの無線通信環境において延長されたマイクロスリープ状態を利用することに関連する方法論が例示される。説明を簡単にする目的で、これら方法論は一連の動作として図示され記載されているが、幾つかの動作は、１または複数の実施形態にしたがって、本明細書に図示され記載されたものとは異なる順序で、および／または、他の動作と同時に生じうるので、これらの方法論は、これら動作順によって限定されないことが理解され認識されるべきである。例えば、当業者であれば、方法論は、代わりに、例えば状態図のような相互関連する状態またはイベントのシリーズとして表されうることを理解するだろう。さらに、１または複数の実施形態にしたがって方法論を実現するために必ずしも例示された全ての動作が必要とされる訳ではない。
【００５１】
図５に関し、ＬＴＥベースの無線通信環境においてアクセス端末を動作させることを容易にする方法論５００が例示される。５０２において、アクセス端末は、パターンのうちの第１の期間のうちの少なくとも一部の間、ダウンリンク送信を復号するために、パターンのうちの第１の期間中、オン状態に切り替えられうる。例えば、そのような切り替えは、アクセス端末が非ＤＲＸモード（例えば、ＣＲＸモード）にある間に起こりうる。アクセス端末は、ＭＡＣシグナリング、データの受信、ランダム・アクセス・チャネル（ＲＡＣＨ）による送信等に基づいて、ＤＲＸモードから非ＤＲＸモードへ移行しうる。さらに、第１の期間は、例えば１送信時間インタバル（ＴＴＩ）（例えば、１ミリ秒、およそ１ミリ秒等）でありうる。ＴＴＩは、制御チャネル部分およびデータ部分へ分割されうる。さらに、ダウンリンク送信の復号は、ＴＴＩの制御チャネル部分の間に生じうる（例えば、制御チャネル部分に関するＴＴＩの前半が、復号される第１の期間の一部となりうる）。そのようなダウンリンク送信がアクセス端末に向けられていると判定されると、ＴＴＩのデータ部分が復号されうる。そうではない場合、（例えば、アクセス端末による復号が禁じられうる）ＴＴＩの後半において、オン状態からマイクロスリープ状態への移行する切り替えが有効になる。例によれば、オン状態への切り替えは、明示的なＭＡＣシグナリングに基づいて引き起こる。さらなる例示によれば、オン状態への切り替えが、予め定めたパターンに応じて有効化される。さらに、明示的なＭＡＣシグナリングと予め定めたパターンとの組み合わせが、オン状態への切り替えを制御するために使用されうる。
【００５２】
５０４では、復号が禁じられている、パターンのうちの第２の期間中、アクセス端末が、延長されたマイクロスリープ状態へ切り替えられうる。第２の期間は、複数のＴＴＩでありうる。例によれば、第２の期間は、５ＴＴＩ（例えば、５ミリ秒、およそ５ミリ秒等）でありうる。しかしながら、権利主張された主題は、そのように限定されない。第２の期間中、関連するＴＴＩのデータ部分も制御チャネル部分も、アクセス端末によって復号されない。むしろ、アクセス端末は、節電するために、第２の期間中、スリープしうる。５０６では、アクセス端末の状態間における連続的な切り替えが、第１の期間と第２の期間とを交互に反復するパターンにしたがって有効化されうる。このパターンは、アクセス端末が非ＤＲＸモードで動作し続ける限り継続されうる。
【００５３】
図６に移って示すように、ＬＴＥベースの無線通信環境において、アクセス端末のために延長されたマイクロスリープ状態を用いることを容易にする方法論６００が例示される。６０２では、アクセス端末は、第１の期間のうちの少なくとも一部の間に、ダウンリンク送信を復号するために、第１の期間の間、オン状態へ切り替えられうる。６０４では、アクセス端末は、復号が禁じられている第２の期間の間、延長されたマイクロスリープ状態へ切り替えられうる。６０６では、非アクティビティ・タイマが時間切れになったかに関する判定がなされうる。例えば、非アクティビティ・タイマは、しきい時間長さを、最後に復号されたダウンリンク送信が、アクセス端末へ向けられたものと判定されてからの時間長さと比較することができる。このしきい時間長さは、予め定められるか、関数に基づいて生成されるか、メモリから取得されるか、ユーザによって調節されるか、傾向分析に基づいて変更されるか、基地局から送られた信号によって制御される等される。６０６において、非アクティビティ・タイマが、時間切れになっていないと判定された場合、方法論６００は６０２に戻る。６０２へ戻ることによって、第１の期間の間はオン状態に切り替わり、第２の期間の間は、延長されたマイクロスリープ状態に切り替わることが、非アクティビティ・タイマが時間切れになるまで、交互に反復されうる。さらに、６０６において、非アクティビティ・タイマが時間切れになったと判定された場合、方法論６００は６０８へ進む。６０８では、アクセス端末が、非ＤＲＸモード（例えば、ＣＲＸモード）からＤＲＸモードへ移行しうる。さらに、前述したように、オン状態から、延長されたマイクロスリープ状態への切り替えを反復することは、ＤＲＸの「オン持続時間」である間適用されうる。さらに、アクセス端末が、（例えば、非アクティビティ・タイマを用いることに加えて、または、その代わりに）例えばＭＡＣシグナリングに応答してＤＲＸモードへ移行しうることもまた認識されるべきである。
【００５４】
図７に示すように、ＬＴＥベースの無線通信環境において、アクセス端末の状態を制御することを容易にする方法論７００が例示される。７０２では、オン状態、マイクロスリープ状態、および延長されたマイクロスリープ状態の間の移行を制御するために、信号がアクセス端末へ送信されうる。例えば、これら信号は、アクセス端末が非ＤＲＸモードで動作している間、送信されうる。さらに、これらの信号は、２つの反復された期間を含む延長されたマイクロスリープ・パターンを構成するために転送されうる。したがって、信号は、アクセス端末が、第１の期間の間はオン状態に、第２の期間の間は延長されたマイクロスリープ状態にあるように制御することができる（例えば、第１の期間と第２の期間とは、転送された信号に基づいて反復されうる）。例示によって、延長されたマイクロスリープ・パターンは、アクセス端末に対して、第１の期間のうちの少なくとも一部の間（例えば、１ＴＴＩ、１ミリ秒等）は、受信機をオンし、第２の期間の間（例えば、５ＴＴＩ，５ミリ秒等）は、受信機をオフするようにさせることができる。７０４では、アクセス端末状態は、送信された信号に少なくとも部分的に基づいて、時間の関数として追跡されうる。さらに、アクセス端末が動作するモード（例えば、ＤＲＸ、非ＤＲＸ等）が、時間の関数として追跡されうることも考慮されうる。７０６では、この追跡された時間に基づいて、アクセス端末へパケットを送る時間が識別されうる。したがって、アクセス端末が、スリープしている時間以外のときに、ダウンリンクによって送られたデータを復号するだろうと判定された場合、パケットがアクセス端末へ送られうる。
【００５５】
本明細書に記載された１または複数の態様によれば、延長されたマイクロスリープを適用することに関して推論がなされうることが認識されるだろう。本明細書で使用されるように、「推論する」または「推論」なる用語は一般に、イベントおよび／またはデータによって取得されたような観察のセットからの、システムの状態、環境、および／または、ユーザの推論あるいはそれらに関する推理のプロセスを称する。推論は、特定のコンテクストまたは動作を特定するために適用されるか、あるいは、例えば状態にわたる確率分布を生成することができる。推論は、確率論的、すなわち、興味のある状態にわたる確率分布の、データおよびイベントの考慮に基づく計算でありうる。推測はまた、イベントおよび／またはデータのセットから、より高次のイベントを構成するために適用される技術をも称する。そのような推測によって、イベントが時間的に近接して相関付けられていようといまいと、これらイベントおよびデータが１または幾つかのイベント・ソースおよびデータ・ソースに由来しようとも、観察されたイベントおよび／または格納されたイベント・データのセットから、新たなイベントまたは動作を考慮することができる。
【００５６】
例によれば、上述した１または複数の方法は、アクセス端末を、延長されたマイクロスリープへ、または、延長されたマイクロスリープから移行すべきかを判定することに関連する推論を行うことを含みうる。さらなる例示によれば、推論は、アクセス端末が動作している状態および／またはモードを判定することに関してなされうる。前述した例は、本質的に例示的であり、なされうる推論の数、あるいは、そのような推論が本明細書に記載のさまざまな実施形態および／または方法と連携してなされる方法を限定することは意図されていないことが認識されよう。
【００５７】
図８は、ＬＴＥベースの無線通信システムにおいて延長されたマイクロスリープを利用するアクセス端末８００の実例である。アクセス端末８００は、例えば受信アンテナ（図示せず）から信号を受信し、受信した信号について一般的な動作（例えば、フィルタ、増幅、ダウンコンバート等）を実行し、調整された信号をデジタル化してサンプルを得る受信機８０２を備えうる。受信機８０２は例えばＭＭＳＥ受信機であり、受信したシンボルを復調し、それらを、チャネル推定のためにプロセッサ８０６へ提供する復調器８０４を備えうる。プロセッサ８０６は、受信機８０２によって受信された情報を分析すること、および／または、送信機８１６による送信のための情報を生成することに特化されたプロセッサでありうるか、アクセス端末８００の１または複数の構成要素を制御するプロセッサでありうるか、および／または、受信機８０２によって受信された情報の分析と、送信機８１６による送信のための情報の生成と、アクセス端末８００の１または複数の構成要素の制御との両方を行うプロセッサでありうる。
【００５８】
アクセス端末８００はさらに、プロセッサ８０６と動作可能に接続されたメモリ８０８を備えうる。メモリ８０８は、送信されるデータ、受信したデータ、および、本明細書に記載のさまざまな動作および機能を実行することに関連するその他任意の情報を格納しうる。メモリ８０８はさらに、延長されたマイクロスリープを導入することに関連するアルゴリズムおよび／またはプロトコルを格納しうる。
【００５９】
本明細書に記載のデータ・ストア（例えば、メモリ８０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。対象とするシステムおよび方法のメモリ８０８は、限定される訳ではないが、これらおよびその他任意の適切なタイプのメモリを備えることが意図される。
【００６０】
受信機８０２はさらに、受信モード・コンバータ８１０および／またはスリープ状態トランジショナ８１２に動作可能に接続されうる。これらは実質的に、図２の受信モード・コンバータ２０８および図２のスリープ状態トランジショナ２１２と同様でありうる。さらに、図示していないが、アクセス端末８００は、図２の非アクティビティ・タイマ２１０と実質的に同様な非アクティビティ・タイマを含みうることが考慮される。受信モード・コンバータ８１０は、アクセス端末８００によって適用されている受信モードを制御しうる。例えば、受信モード・コンバータ８１０は、アクセス端末８００を、ＤＲＸモードと非ＤＲＸモード（例えば、ＣＲＸモード）との間で切り替えることができる。例えば、受信モード・コンバータ８１０は、（例えば、受信機８０２によって受信されて）取得された信号を利用して、受信モードを調節することができる。別の例示によれば、非アクティビティ・タイマが時間切れになったかが、受信モード・コンバータ８１０によって導かれ、受信モードをいつ変更するかが解読される。さらに、（例えば、受信機８０２を介してなされる）データの受信、および／または、アクセス端末８００によるランダム・アクセス・チャネル（ＲＡＣＨ）送信によって、受信モード・コンバータ８１０に対して、利用される受信モードを変更させる。さらに、スリープ状態トランジショナ８１２は、本明細書に記載したように、アクセス端末８００を、オン状態、マイクロスリープ状態、延長されたマイクロスリープ状態の間で切り替える。例えば、スリープ状態トランジショナ８１２によって設定された状態に依存して、受信機８０２（および／または復調器８０４）は、オンあるいはオフ（例えば、アクティブ化あるいは非アクティブ化）になりうる。さらなる例によれば、スリープ状態トランジショナ８１２は、予め定めたパターン（例えば、オン状態で１ミリ秒、延長されたマイクロスリープ状態で５ミリ秒、オン状態で１ミリ秒、延長されたマイクロスリープ状態で５ミリ秒、以下反復等）に少なくとも部分的に基づいて状態間を切り替える。さらにあるいはその代わりに、スリープ状態トランジショナ８１２は、明示的なＭＡＣシグナリングに応答して、アクセス端末８００の状態を変更することができる。アクセス端末８００はさらに、変調器８１４と、信号を例えば基地局、別のアクセス端末等へ送信する送信機８１６とを備えうる。プロセッサ８０６と分離しているように示されているが、受信モード・コンバータ８１０、スリープ状態トランジショナ８１２、および／または、変調器８１４は、プロセッサ８０６または多くのプロセッサ（図示せず）の一部でありうることが認識されるべきである。
【００６１】
図９は、ＬＴＥベースの無線通信環境におけるアクセス端末の状態を制御することを容易にするシステム９００の例示である。システム９００は、複数の受信アンテナ９０６を介して１または複数のアクセス端末９０４から信号を受信する受信機９１０と、送信アンテナ９０８を介して１または複数のアクセス端末９０４へ信号を送信する送信機９２４とを備えた基地局９０２（例えば、アクセス・ポイント等）を備える。受信機９１０は、受信アンテナ９０６から情報を受信し、この受信した情報を復調する復調器９１２と動作可能に関連付けられている。復調されたシンボルは、図８に関連して上述したプロセッサと類似したプロセッサ９１４によって分析されうる。このプロセッサは、アクセス端末９０４（または、別の基地局（図示せず））へ送信されるデータ、または、アクセス端末９０４（または、別の基地局（図示せず））から受信したデータ、および／または、本明細書に記載のさまざまな動作および機能を実行することに関連するその他任意の適切な情報を格納するメモリ９１６に接続されている。プロセッサ９１４はさらに、関連する状態（例えば、オン、マイクロスリープ、延長されたマイクロスリープ等）を制御するために、アクセス端末９０４へ送信される信号を生成するアクセス端末（ＡＴ）スリープ状態コントローラ９１８へ接続される。例えば、ＡＴスリープ状態コントローラ９１８によって生成された信号は、状態間の移行を有効にするようにアクセス端末９０４を起動することができる。
【００６２】
ＡＴスリープ状態コントローラ９１８は、アクセス端末９０４の状態および／または受信モードを時間にわたってモニタする受信モード／スリープ状態トラッカ９２０に動作可能に接続されうる。例えば、受信モード／スリープ状態トラッカ９２０は、このようなモニタリングを有効にするために、ＡＴスリープ状態コントローラ９１８によって生成された信号を利用する。さらに、受信モード／スリープ状態トラッカ９２０によって生成されたデータは、パケットをダウンリンクを介してアクセス端末９０４へ送信すべき時間を選択することに関連して、基地局９０２によって導入される。例えば、ＡＴスリープ状態コントローラ９１８は、図２のＡＴスリープ状態コントローラ２１４と実質的に同一であり、および／または、受信モード／スリープ状態トラッカ９２０は、図２の受信モード／スリープ状態トラッカ２１６と実質的に同一であることが考慮される。さらに、ＡＴスリープ状態コントローラ９１８および／または受信モード／スリープ状態トラッカ９２０は、送信されるデータを、変調器９２２に提供することができる。別の例によれば、受信モード／スリープ状態トラッカ９２０は、変調器９２２へ提供されたデータがいつ送信されるべきかを識別することができる。変調器９２２は、送信機９２４によってアンテナ９０８を介してなされるアクセス端末９０４への送信のためフレームを多重化することができる。プロセッサ９１４と分離して示されているが、ＡＴスリープ状態コントローラ９１８、受信モード／スリープ状態トラッカ９２０、および／または、変調器９２２は、プロセッサ９１４または（図示しない）多くのプロセッサの一部でありうることが認識されるべきである。
【００６３】
図１０は、無線通信システム１０００の例を示す。無線通信システム１０００は、簡潔さの目的で、１つの基地局１０１０と１つのアクセス端末１０５０とを示している。しかしながら、システム１０００は、１より多い基地局、および／または、１より多いアクセス端末を含むことができ、これら追加の基地局および／またはアクセス端末は、以下に説明する基地局１０１０およびアクセス端末１０５０の例と実質的と同じでも、別のものでもありうることが認識されるべきである。さらに、基地局１０１０および／またはアクセス端末１０５０は、その間の無線通信を容易にするために、本明細書に記述されたシステム（図１乃至図２、図８乃至図９、図１１乃至図１２）および／または方法（図５乃至図７）を適用しうることが認識されるべきである。
【００６４】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームは、それぞれのアンテナを介して送信される。ＴＸデータ・プロセッサ１０１４は、トラフィック・データ・ストリームをフォーマットし、このデータ・ストリームのために選択された特定の符号化スキームに基づいて符号化し、インタリーブして、符号化されたデータを提供する。
【００６５】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにアクセス端末１０５０において使用されうる。おのおののデータ・ストリームに関する多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、コーディング、および変調は、プロセッサ１０３０によって実行または提供される命令によって決定されうる。
【００６６】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０はその後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００６７】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号は、ＮＴ個のアンテナ１０２４ａ乃至１０２４ｔそれぞれから送信される。
【００６８】
アクセス端末１０５０では、送信された変調信号がＮＲ個のアンテナ１０５２ａ乃至１０５２ｒによって受信され、おのおののアンテナ１０５２からの受信信号が、それぞれの受信機（ＲＣＶＲ）１０５４ａ乃至１０５４ｒへ提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６９】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００７０】
プロセッサ１０７０は、上述したように、どの事前符号化行列を使用するのかを定期的に決定する。さらに、プロセッサ１０７０は、行列インデクス部およびランク値部を備えた逆方向リンク・メッセージを規定することができる。
【００７１】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１０３６から受け取るＴＸデータ・プロセッサ１０３８によって処理され、変調器１０８０によって変調され、送信機１０５４ａ乃至１０５４ｒによって調整され、基地局１０１０へ送り戻される。
【００７２】
基地局１０１０では、アクセス端末１０５０からの変調信号が、アンテナ１０２４によって受信され、受信機１０２２によって調整され、復調器１０４０によって復調され、ＲＸデータ・プロセッサ１０４２によって処理されて、アクセス端末１０５０によって送信された逆方向リンク・メッセージを抽出する。さらに、プロセッサ１０３０は、ビームフォーミング重みを決定するためにどの事前符号化行列を使用するかを決定するために、この抽出されたメッセージを処理する。
【００７３】
プロセッサ１０３０およびプロセッサ１０７０は、基地局１０１０およびアクセス端末１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００７４】
態様では、論理チャネルが、制御チャネルとトラフィック・チャネルとに分類される。論理制御チャネルは、ブロードキャスト制御チャネル（ＢＣＣＨ）を含むことができる。それは、システム制御情報をブロードキャストするためのＤＬチャネルである。さらに、論理制御チャネルは、ページング制御チャネル（ＰＣＣＨ）を含むことができる。それは、ページング情報を転送するＤＬチャネルである。さらに、論理制御チャネルは、マルチキャスト制御チャネル（ＭＣＣＨ）を備えうる。これは、マルチメディア・ブロードキャストおよびマルチキャスト・サービス（ＭＢＭＳ）スケジューリングと、１または複数のＭＴＣＨのための制御情報とを送信するために使用されるポイント・トゥ・マルチポイントＤＬチャネルである。一般に、ラジオ・リソース制御（ＲＲＣ）接続を確立した後、このチャネルは、ＭＢＭＳ（注：旧ＭＣＣＨ＋ＭＳＣＨ）を受信するＵＥによってのみ使用される。さらに、論理制御チャネルは、専用制御チャネル（ＤＣＣＨ）を含みうる。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、専用トラフィック・チャネル（ＤＴＣＨ）を備える。これは、ユーザ情報を送信するための、１つのＵＥに専用のポイント・トゥ・ポイント双方向チャネルである。さらに、論理トラフィック・チャネルは、トラフィック・データを送信するポイント・トゥ・マルチポイントＤＬチャネルのためのマルチキャスト・トラフィック・チャネル（ＭＴＣＨ）を含みうる。
【００７５】
態様では、伝送チャネルが、ＤＬとＵＬに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用される物理レイヤ（ＰＨＹ）リソースへマップされることによって、ＵＥの節電をサポートする（例えば、不連続受信（ＤＲＸ）サイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００７６】
ＰＨＹチャネルは、ＤＬチャネルとＵＬチャネルとからなるセットを備える。例えば、ＤＬ  ＰＨＹチャネルは、次のものを含むことができる。共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）。さらなる例によれば、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有リクエスト・チャネル（ＳＲＥＱＣＨ）、ＵＬ物理共有データ・チャネル（ＵＬ−ＰＳＤＣＨ）、および／または、広帯域パイロット・チャネル（ＢＰＩＣＨ）を含みうる。
【００７７】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７８】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７９】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８０】
図１１に示すように、ＬＴＥベースの無線通信環境において変更可能な受信モードでかつスリープ状態でアクセス端末を動作させることを可能にするシステム１１００が例示される。例えば、システム１１００は、アクセス端末内に存在することができる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作することができる電子構成要素の論理グループ１１０２を含む。例えば、論理グループ１１０２は、非ＤＲＸモードにおける動作へ移行させるための電子構成要素１１０４を含みうる。例えば、受信モードは、基地局から信号を受信すると、受取先アクセス端末に向けられたデータを取得すると、ランダム・アクセス・チャネル（ＲＡＣＨ）によって送信を送る等すると、ＤＲＸから非ＤＲＸ（例えば、ＣＲＸ）へ移行しうる。さらに、論理グループ１１０２は、予め定めたパターンにしたがって、オン状態と、延長されたマイクロスリープ状態との切り替えを行うための電子構成要素１１０６を含みうる。予め定めたパターンは、アクセス端末の受信機がアクティブとされる第１の期間と、受信機がスリープする（例えば、非アクティブとされる）第２の期間とを示しうる。第１の期間と第２の期間とは、交互に反復しうる。さらに、論理グループ１１０２は、非アクティビティ時間のしきい長さに達したかを判定するための電子構成要素１１０８を備えうる。論理グループ１１０２はまた、非アクティビティ時間のしきい長さに達すると、ＤＲＸモードの動作へ移行させるための電子構成要素１１１０を含みうる。さらに、システム１１００は、電子構成要素１１０４、１１０６、１１０８、１１１０に関連する機能を実行するための命令群を保持するメモリ１０１２を含みうる。メモリ１１１２の外側に示されているが、電子構成要素１１０４、１１０６、１１０８、１１１０のうちの１または複数は、メモリ１１１２の内部に存在することができることが理解されるべきである。
【００８１】
図１２に移って、ＬＴＥベースの無線通信システムにおいて、アクセス端末のスリープ状態を管理することを可能にするシステム１２００が例示される。システム１２００は、例えば、基地局内に少なくとも部分的に存在しうる。図示するように、システム１２００は、プロセッサ、ソフトウェア、またはこれらの組み合わせ（例えば、ファームウェア）によって実現される機能を表す機能ブロックを含む。システム１２００は、連携して動作する電子構成要素からなる論理グループ１２０２を含む。論理グループ１２０２は、オン状態、マイクロスリープ状態、および、延長されたマイクロスリープ状態の間の移行を制御する信号をアクセス端末へ送信するための電子構成要素１２０４を含みうる。さらに、論理グループ１２０２は、送られた信号に少なくとも部分的に基づいて、時間の関数として、アクセス端末の状態を追跡するための電子構成要素１２０６を含みうる。さらに、論理グループ１２０２は、追跡された状態に基づいて、アクセス端末へパケットを送る時間を決定するための電子構成要素１２０８を備えうる。さらに、論理グループ１２０２は、決定された時間において、アクセス端末へパケットを送信するための電子構成要素１２１０を含みうる。さらに、システム１２００は、電子構成要素１２０４、１２０６、１２０８、１２１０に関連する機能を実行するための命令群を保持するメモリ１２１２を含みうる。メモリ１１１２の外側に示されているが、電子構成要素１２０４、１２０６、１２０８、１２１０のうちの１または複数は、メモリ１２１２の内部に存在することができることが理解されるべきである。
【００８２】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
以下に本願発明の当初の特許請求の範囲に記載された発明を付記する。
［Ｃ１］
ロング・ターム・エボリューション（ＬＴＥ）ベースの無線通信環境におけるアクセス端末の動作を容易にする方法であって、
パターンのうちの第１の期間のうちの少なくとも一部の間、ダウンリンク送信を復号するために、前記第１の期間の間、アクセス端末をオン状態に切り替えることと、
復号が禁じられている前記パターンのうちの第２の期間の間、前記アクセス端末を、延長されたマイクロスリープ状態に切り替えることと、
前記第１の期間と前記第２の期間とを交互に反復させる前記パターンにしたがって、前記アクセス端末を状態間で切り替え続けることと
を備える方法。
［Ｃ２］
非アクティビティ・タイマが時間切れになったかを判定することと、
前記非アクティビティ・タイマが時間切れになったと判定されると、前記アクセス端末の、状態間における切り替えを中止させることと、
前記非アクティビティ・タイマが時間切れになったと判定されると、前記アクセス端末を、非不連続受信（非ＤＲＸ）モードから不連続受信（ＤＲＸ）モードへ移行させることと
をさらに備えるＣ１に記載の方法。
［Ｃ３］
前記アクセス端末が非ＤＲＸモードへ移行すると、前記オン状態と、前記延長されたマイクロスリープ状態との間の切り替えを開始させること
をさらに備えるＣ１に記載の方法。
［Ｃ４］
媒体アクセス制御（ＭＡＣ）シグナリング、前記アクセス端末へ向けられたデータが受信されること、または、ランダム・アクセス・チャネル（ＲＡＣＨ）によって送信を送ることのうちの少なくとも１つに基づいて、前記アクセス端末を前記非ＤＲＸモードへ移行させること
をさらに備えるＣ３に記載の方法。
［Ｃ５］
前記第１の期間は、１送信時間インタバル（ＴＴ１）であり、前記第２の期間は、複数のＴＴＩであるＣ１に記載の方法。
［Ｃ６］
前記第１の期間は、およそ１ミリ秒であり、前記第２の期間は、およそ５ミリ秒であるＣ１に記載の方法。
［Ｃ７］
予め定めたパターンまたは明示的なＭＡＣシグナリングのうちの少なくとも１つに基づいて、前記アクセス端末を状態間で切り替えること
をさらに備えるＣ１に記載の方法。
［Ｃ８］
前記アクセス端末がオン状態にある間、前記第１の期間に関連するＴＴＩの制御チャネル部分を復号することと、
前記制御チャネル部分が、前記アクセス端末へ向けられた送信を含む場合、前記第１の期間に関連するＴＴＩのデータ部分を復号することと
をさらに備えるＣ１に記載の方法。
［Ｃ９］
前記アクセス端末がオン状態にある間、前記第１の期間に関連するＴＴＩの制御チャネル部分を復号することと、
前記制御チャネル部分が、前記アクセス端末へ向けられた送信を含まない場合、前記第１の期間に関連するＴＴＩのデータ部分の間、マイクロスリープ状態へ切り替わることとをさらに備えるＣ１に記載の方法。
［Ｃ１０］
前記アクセス端末が、延長されたマイクロスリープ状態にある間、前記第２の期間に関連するＴＴＩのデータ部分および制御チャネル部分の前記アクセス端末による受信および復号を禁じること
をさらに備えるＣ１に記載の方法。
［Ｃ１１］
無線通信装置であって、
第１の期間のうちの少なくとも一部の間、ダウンリンク送信を復号するために、前記第１の期間の間、オン状態に切り替えることと、
復号が禁じられている第２の期間の間、延長されたマイクロスリープ状態に切り替えることと、
非アクティビティ・タイマが時間切れになったかを判定することと、
前記非アクティビティ・タイマが時間切れになっていないと判定されている限り、交互に反復するように、状態間を切り替え続けることと、
前記非アクティビティ・タイマが、時間切れになったと判定されると、不連続受信（ＤＲＸ）モードに移行することと
に関連する命令群を保持するメモリと、
前記メモリに接続され、前記メモリ内に保持された命令群を実行するように構成されたプロセッサと
を備える無線通信装置。
［Ｃ１２］
前記メモリはさらに、前記アクセス端末が前記ＤＲＸモードから移行すると、前記オン状態と、前記延長されたマイクロスリープ状態との間の切り替えを開始することに関連する命令群を保持するＣ１１に記載の無線通信装置。
［Ｃ１３］
前記メモリはさらに、媒体アクセス制御（ＭＡＣ）シグナリング、アクセス端末へ向けられたデータが受信されること、または、ランダム・アクセス・チャネル（ＲＡＣＨ）によって送信を送ることのうちの少なくとも１つに基づいて、前記アクセス端末を、前記ＤＲＸモードから移行させることに関連する命令群を保持するＣ１２に記載の無線通信装置。
［Ｃ１４］
前記第１の期間は、１つの送信時間インタバル（ＴＴＩ）であり、前記第２の期間は、複数のＴＴＩであるＣ１１に記載の無線通信装置。
［Ｃ１５］
前記メモリはさらに、予め定めたパターンまたは明示的なＭＡＣシグナリングのうちの少なくとも１つに基づいて、状態間での切り替えを行うことに関連する命令群を保持するＣ１１に記載の無線通信装置。
［Ｃ１６］
前記メモリはさらに、前記延長されたマイクロスリープ状態である間、前記第２の期間に関連するＴＴＩのデータ部分と制御チャネル部分の受信および復号を禁じることに関連する命令群を保持する
Ｃ１１に記載の無線通信装置。
［Ｃ１７］
前記メモリはさらに、しきい時間長さを、最後に復号されたダウンリンク送信が、受信しているアクセス端末へ向けられたものと判定されてからの時間長さと比較することに関連する命令群を保持し、
前記しきい時間長さは、予め定められるか、関数に基づいて生成されるか、メモリから取得されるか、ユーザによって調節されるか、傾向分析に基づいて変更されるか、あるいは、基地局から送られた信号によって制御されるか、のうちの少なくとも１つである
Ｃ１１に記載の無線通信装置。
［Ｃ１８］
ロング・ターム・エボリューション（ＬＴＥ）ベースの無線通信環境において変更可能モードかつスリープ状態でアクセス端末を動作させることを可能にする無線通信装置であって、
非不連続受信（非ＤＲＸ）モードの動作に移行させる手段と、
予め定めたパターンにしたがって、オン状態と延長されたマイクロスリープ状態とを切り替える手段と、
非アクティビティ時間のしきい長さに達したかを判定する手段と、
前記非アクティビティ時間のしきい長さに達すると、不連続受信（ＤＲＸ）モードの動作に移行させる手段と
を備える無線通信装置。
［Ｃ１９］
媒体アクセス制御（ＭＡＣ）シグナリング、アクセス端末へ向けられたデータが復号されていること、または、ランダム・アクセス・チャネル（ＲＡＣＨ）によって送信を送ることのうちの少なくとも１つに基づいて、前記非ＤＲＸモードの動作へ移行させる手段をさらに備えるＣ１８に記載の無線通信装置。
［Ｃ２０］
前記予め定めたパターンは、前記オン状態のための第１の期間と、前記延長されたマイクロスリープ状態のための第２の期間とからなる反復サイクルを含むＣ１８に記載の無線通信装置。
［Ｃ２１］
前記第１の期間は、１つの送信時間インタバル（ＴＴＩ）であり、前記第２の期間は、複数のＴＴＩであるＣ２０に記載の無線通信装置。
［Ｃ２２］
明示的なＭＡＣシグナリングに少なくとも部分的に基づいて、前記オン状態と、前記延長されたマイクロスリープ状態とを切り替える手段
をさらに備えるＣ１８に記載の無線通信装置。
［Ｃ２３］
前記延長されたマイクロスリープ状態が動作している間、時間に関連するＴＴＩのデータ部分と制御チャネル部分の受信および復号を禁じる手段
をさらに備えるＣ１８に記載の無線通信装置。
［Ｃ２４］
前記非アクティビティ時間のしきい長さは、予め定められるか、関数に基づいて生成されるか、メモリから取得されるか、ユーザによって調節されるか、傾向分析に基づいて変更されるか、あるいは、基地局から送られた信号によって制御されるか、のうちの少なくとも１つであるＣ１８に記載の無線通信装置。
［Ｃ２５］
コンピュータ・プログラム製品であって、
パターンのうちの第１の期間のうちの少なくとも一部の間、ダウンリンク送信を復号するために、前記第１の期間の間、アクセス端末をオン状態に切り替えるためのコードと、
復号が禁じられている前記パターンのうちの第２の期間の間、前記アクセス端末を、延長されたマイクロスリープ状態に切り替えるためのコードと、
前記第１の期間と前記第２の期間とを交互に反復させる前記パターンにしたがって、前記アクセス端末を、状態間で切り替え続けさせるためのコードと
を備えるコンピュータ読取可能媒体を備えるコンピュータ・プログラム製品。
［Ｃ２６］
前記コンピュータ読取可能媒体はさらに、
非アクティビティ・タイマが時間切れになったかを判定するためのコードと、
前記非アクティビティ・タイマが時間切れになったと判定されると、前記アクセス端末の、状態間における移行を中止させるためのコードと、
前記非アクティビティ・タイマが時間切れになったと判定されると、前記アクセス端末を、非不連続受信（非ＤＲＸ）モードから不連続受信（ＤＲＸ）モードへ移行させるためのコードと
を備えるＣ２５に記載のコンピュータ・プログラム製品。
［Ｃ２７］
前記コンピュータ読取可能媒体はさらに、前記アクセス端末が非ＤＲＸモードに移行すると、前記オン状態と延長されたマイクロスリープ状態との間の切り替えを開始させるためのコードを備え、
前記アクセス端末を前記非ＤＲＸモードへ移行させることは、媒体アクセス制御（ＭＡＣ）シグナリング、前記アクセス端末へ向けられたデータが受信されること、または、ランダム・アクセス・チャネル（ＲＡＣＨ）によって送信を送ることのうちの少なくとも１つに応答して引き起こる
Ｃ２５に記載のコンピュータ・プログラム製品。
［Ｃ２８］
前記第１の期間は、１つの送信時間インタバル（ＴＴＩ）であり、前記第２の期間は、複数のＴＴＩであるＣ２５に記載のコンピュータ・プログラム製品。
［Ｃ２９］
前記コンピュータ読取可能媒体はさらに、予め定めたパターンまたは明示的なＭＡＣシグナリングのうちの少なくとも１つに基づいて、前記アクセス端末を状態間で切り替えるためのコードをさらに備える
Ｃ２５に記載のコンピュータ・プログラム製品。
［Ｃ３０］
前記コンピュータ読取可能媒体はさらに、前記アクセス端末が、延長されたマイクロスリープ状態にある間、前記第２の期間に関連するＴＴＩのデータ部分および制御チャネル部分の前記アクセス端末による受信および復号を禁じるためのコード
を備えるＣ２５に記載のコンピュータ・プログラム製品。
［Ｃ３１］
無線通信システムにおける装置であって、
第１の期間のうちの少なくとも一部の間、ダウンリンク送信を復号するために、第１の期間、オン状態に切り替え、復号が禁じられている第２の期間、延長されたマイクロスリープ状態に切り替え、非アクティビティ・タイマが時間切れになったかを判定し、前記非アクティビティ・タイマが時間切れになっていないと判定されている限り、交互に反復するように、状態間を切り替え続け、前記非アクティビティ・タイマが、時間切れになったと判定されると、不連続受信（ＤＲＸ）モードに移行させるように構成されたプロセッサを備えた装置。
［Ｃ３２］
ロング・ターム・エボリューション（ＬＴＥ）ベースの無線通信環境におけるアクセス端末の状態の制御を容易にする方法であって、
オン状態、マイクロスリープ状態、および延長されたマイクロスリープ状態の間の移行を制御する信号をアクセス端末へ送信することと、
前記送信された信号に少なくとも部分的に基づいて、時間の関数としてアクセス端末状態を追跡することと、
前記追跡された状態に基づいて、前記アクセス端末へパケットを送る時間を識別することと
を備える方法。
［Ｃ３３］
前記アクセス端末が非不連続受信（非ＤＲＸ）モードで動作している間、前記信号を送信することをさらに備えるＣ３２に記載の方法。
［Ｃ３４］
交互に反復する２つの期間を含む延長されたマイクロスリープ・パターンを構成するために前記信号を前記アクセス端末へ送信することをさらに備え、
前記反復する期間のうちの第１の期間は、オン状態に関連し、前記反復する期間のうちの第２の期間は、延長されたマイクロスリープ状態に関連するＣ３２に記載の方法。
［Ｃ３５］
前記延長されたマイクロスリープ・パターンは、前記アクセス端末に対して、前記オン状態に関連する前記反復する期間の第１の期間のうちの少なくとも一部の間、受信機をオンさせ、前記延長されたマイクロスリープ状態に関連する前記反復する期間の後半の間、前記受信機をオフさせるＣ３４に記載の方法。
［Ｃ３６］
前記反復する期間の第１の期間は、１つの送信時間インタバル（ＴＴＩ）であり、前記反復する期間の後半は、複数のＴＴＩであるＣ３５に記載の方法。
［Ｃ３７］
ダウンリンクによって転送された送信の復号を有効にすると判定された時に、前記アクセス端末が、前記アクセス端末へパケットを送信すること
をさらに備えるＣ３２に記載の方法。
［Ｃ３８］
無線通信装置であって、
オン状態、マイクロスリープ状態、および延長されたマイクロスリープ状態間の切り替えを制御する信号をアクセス端末へ送ることと、
前記送信された信号に少なくとも部分的に基づいて、時間の関数として前記アクセス端末を追跡することと、
前記追跡された状態に基づいて、前記アクセス端末へパケットを転送する時間を認識することと
に関連する命令群を保持するメモリと、
前記メモリに接続され、前記メモリに保持された命令群を実行するように構成されたプロセッサと
を備える無線通信装置。
［Ｃ３９］
前記メモリはさらに、前記アクセス端末が非不連続受信（非ＤＲＸ）モードで動作している間に前記信号を送信することに関連する命令群を保持する
Ｃ３８に記載の無線通信装置。
［Ｃ４０］
前記メモリはさらに、交互に反復する２つの期間を含む延長されたマイクロスリープ・パターンを構成するために前記信号を前記アクセス端末へ送信することに関連する命令群を保持し、
前記反復する期間のうちの第１期間は、オン状態に関連し、前記反復する期間のうちの第２の期間は、延長されたマイクロスリープ状態に関連するＣ３８に記載の無線通信装置。
［Ｃ４１］
前記延長されたマイクロスリープ・パターンは、前記アクセス端末に対して、前記オン状態に関連する前記反復する期間のうちの第１の期間の少なくとも一部の間、受信機をオンさせ、前記延長されたマイクロスリープ状態に関連する前記反復する期間のうちの第２の期間の間、前記受信機をオフさせるＣ４０に記載の無線通信装置。
［Ｃ４２］
前記反復する期間のうちの第１の期間は、１つの送信時間インタバル（ＴＴＩ）であり、前記反復する期間のうちの第２の期間は、複数のＴＴＩであるＣ４１に記載の無線通信装置。
［Ｃ４３］
前記メモリはさらに、前記アクセス端末が、ダウンリンクによって転送された送信の復号を有効にすると判定された時に、前記アクセス端末へパケットを送信することに関連する命令群を保持するＣ３８に記載の無線通信装置。
［Ｃ４４］
ロング・ターム・エボリューション（ＬＴＥ）ベースの無線通信環境におけるアクセス端末のスリープ状態の管理をイネーブルする無線通信装置であって、
パターンにしたがって、オン状態、マイクロスリープ状態、および延長されたマイクロスリープ状態間の切り替えを制御する信号をアクセス端末へ送る手段と、
前記送信された信号に少なくとも部分的に基づいて、時間の関数として前記アクセス端末を追跡する手段と、
前記追跡された状態に基づいて、前記アクセス端末へパケットを転送する時間を決定する手段と、
前記決定された時間において、前記アクセス端末へパケットを送信する手段と
を備える無線通信装置。
［Ｃ４５］
前記アクセス端末が非不連続受信（非ＤＲＸ）モードで動作している間に前記信号を送信する手段をさらに備えるＣ４４に記載の無線通信装置。
［Ｃ４６］
前記パターンは、交互に反復する２つの期間を含み、前記反復する期間のうちの第１の期間は、オン状態に関連し、前記反復する期間のうちの第２の期間は、延長されたマイクロスリープ状態に関連するＣ４４に記載の無線通信装置。
［Ｃ４７］
前記パターンは、前記アクセス端末に対して、前記オン状態に関連する前記反復する期間のうちの第１の期間のうちの少なくとも一部の間、受信機をオンさせ、前記延長されたマイクロスリープ状態に関連する前記反復する期間のうちの第２の期間の間、前記受信機をオフさせるＣ４６に記載の無線通信装置。
［Ｃ４８］
前記反復する期間のうちの第１の期間は、１つの送信時間インタバル（ＴＴＩ）であり、前記反復する期間のうちの第２の期間は、複数のＴＴＩであるＣ４７に記載の無線通信装置。
［Ｃ４９］
延長されたマイクロスリープ・パターンにしたがって、オン状態、マイクロスリープ状態、および延長されたマイクロスリープ状態間の切り替えを制御する信号をアクセス端末へ転送するためのコードと、
前記送信された信号に少なくとも部分的に基づいて、時間の関数としてアクセス端末状態およびアクセス端末モードを追跡するためのコードと、
前記追跡された状態およびモードに基づいて、前記アクセス端末へパケットを転送する時間を解読するためのコードと、
前記解読された時間において、前記アクセス端末へパケットを送信するためのコードと
を備えるコンピュータ読取可能媒体を備えるコンピュータ・プログラム製品。
［Ｃ５０］
前記コンピュータ読取可能媒体はさらに、前記アクセス端末が非不連続受信（非ＤＲＸ）モードで動作している間に前記信号を転送するためのコード
をさらに備えるＣ４９に記載のコンピュータ・プログラム製品。
［Ｃ５１］
前記延長されたマイクロスリープ・パターンは、交互に反復する２つの期間を含み、
前記反復する期間のうちの第１の期間は、オン状態に関連し、１つの送信時間インタバルであり、前記反復する期間のうちの第２の期間は、延長されたマイクロスリープ状態に関連し、複数の送信時間インタバルである
Ｃ４９に記載のコンピュータ・プログラム製品。
［Ｃ５２］
前記延長されたマイクロスリープ・パターンは、前記アクセス端末を、前記オン状態に関連する前記反復する期間のうちの第１の期間のうちの少なくとも一部の間、受信機をオンさせ、前記延長されたマイクロスリープ状態に関連する前記反復する期間のうちの第２の期間の間、前記受信機をオフさせるように制御するＣ５１に記載のコンピュータ・プログラム製品。
［Ｃ５３］
無線通信システムにおける装置であって、
オン状態、マイクロスリープ状態、および延長されたマイクロスリープ状態の間の移行を制御する信号をアクセス端末へ送信し、
前記送信された信号に少なくとも部分的に基づいて、時間の関数としてアクセス端末状態を追跡し、
前記追跡された状態に基づいて、前記アクセス端末へパケットを送る時間を識別するように構成されたプロセッサを備える装置。
【図１】
0005602888.tif 000002
【図２】
0005602888.tif 000003
【図３】
0005602888.tif 000004
【図４】
0005602888.tif 000005
【図５】
0005602888.tif 000006
【図６】
0005602888.tif 000007
【図７】
0005602888.tif 000008
【図８】
0005602888.tif 000009
【図９】
0005602888.tif 000010
【図１０】
0005602888.tif 000011
【図１１】
0005602888.tif 000012
【図１２】
0005602888.tif 000013